(57)【要約】【課題】  ロープなどで固定する必要がない、簡単な操作で人体の上半身上部に比較的軽量の種々の物品を保持することができる、人体の首の横を通して上半身上部に安定して簡単に装着するためのフレームを提供する。【解決手段】  上半身上部背面押さえ部材と、該上半身上部背面押さえ部材に設けられた、頸の上を跨ぐ形状を有する頸跨ぎ部材と、該頸跨ぎ部材に設けられた胸押さえ部材を有する物品保持用頸跨ぎ装着フレームである。【選択図】    図１
2018023101.tif 000002
【特許請求の範囲】
【請求項１】
上半身上部背面押さえ部材と、頸の上を背側から胸側に跨ぐ形状を有する頸跨ぎ部材と、胸押さえ部材を有するフレームであって、該上半身上部背面押さえ部材が該頸跨ぎ部材の背面側に連結され、該胸押さえ部材が該頸跨ぎ部材の胸側に連結されている物品保持用頸跨ぎ装着フレーム。
【請求項２】
上半身上部背面押さえ部材と、頸跨ぎ部材、及び胸押さえ部材の少なくとも１つの部材が可撓性を有する請求項１に記載の物品保持用頸跨ぎ装着フレーム。
【請求項３】
頸跨ぎ部材が、首横の左右の頸の上をそれぞれ跨ぐ２つの頸跨ぎ部材からなる請求項１又は２に記載の物品保持用頸跨ぎ装着フレーム。
【請求項４】
頸跨ぎ部材が胸板厚幅調整機能を有する請求項１〜３のいずれかに記載の物品保持用頸跨ぎ装着フレーム。
【発明の詳細な説明】
【技術分野】
【０００１】
本発明は、比較的軽量の種々の物品を保持することができる、人体の首の横を通して上半身上部に安定して装着することができるフレームに関する。
【背景技術】
【０００２】
従来から、両手には保持せず、人体の上半身に比較的重い物品を保持する種々の用具が提案されている。例えば、比較的重い物品を収納することができるランドセル、リュック、ザックなどの背負い鞄のように背の広い範囲に密着させて装着するものや、抱っこ紐やおんぶ紐のように赤ちゃんを背又は胸に保持するために背又は胸の広い範囲に密着させて装着するもの、肩に物品を乗せるための用具を肩に装着するものなどがある。
【０００３】
しかし、上記背負い鞄においては、人体の上半身に鞄を固定するために肩ベルトを肩やその周辺に密着させて鞄を固定しているが、長時間背負っていると、肩ベルトが肩やその周辺に食い込み肩の周辺の筋肉が痛くなったり、血流が悪くなることがあり、抱っこ紐やおんぶ紐においても、背負い鞄と同様に長時間背負っていると、肩ベルトが肩やその周辺に食い込み肩の周辺の筋肉が痛くなったり、血流が悪くなるという問題があった。
また、背負い鞄や、抱っこ紐やおんぶ紐は、背又は胸の広い範囲に密着させて装着するため、歩行時の腕振り動作や、体の捻り動作などによる振動や、衝撃が伝わり、長時間装着すると疲れが大きくなるという問題もあった。
さらに、背負い鞄、抱っこ紐やおんぶ紐では、鞄や収納部を上半身にしっかりと固定するために肩ベルト以外に他のベルトや紐で上半身に固定する必要があり、簡単に装着できないという問題点もあった。
【０００４】
また、肩に物品を乗せるための用具を肩に装着するものとしては、例えば、ビデオカメラなどのビデオ撮影機能付き携帯機器を肩に固定するためにビデオカメラ機器にハンドルクリップを取り付け、撮影者の肩端に取り付けた肩装着固定具にハンドルクリップを差し込んで固定する固定具（例えば、特許文献１参照）が提案されている。  
【０００５】
特許文献１において、ビデオカメラを肩関節の上に載せる場合には、肩装着固定具を肩関節の上に装着するので、頸の筋肉に直接負担がかかることは少なくなるが、安定性に問題があり、歩行時の腕振り動作や、体の捻り動作などによる振動や、衝撃が伝わりやすいという問題や、ビデオカメラの重量が重い場合は、長時間装着すると肩関節の周辺の筋肉が痛くなるという問題は残っていた。また、この肩装着固定具は、伸縮性ロープでしっかりと固定する必要があり、簡単に肩に固定することが難しいという欠点があった。
このように、従来、長時間装着しても頸の筋肉が痛くなることが少なく、簡単に装着することができる物品保持用固定具はなかった。
【先行技術文献】
【特許文献】
【０００６】
【特許文献１】特開２０１１−６６９３０号公報
【発明の概要】
【発明が解決しようとする課題】
【０００７】
本発明は、長時間装着しても頸の筋肉が痛くなり難く、ロープなどで固定する必要がない、簡単な操作で人体の上半身に比較的軽量の種々の物品を保持することができる、人体の首の横を通して上半身上部に安定して簡単に装着することができるフレームを提供することを目的とする。なお、ここで、人体の首とは、頭と第７頸椎の間の細くなっている部分をいう。また、人体の頸とは、看護学でいう頸であり、頭と第７頸椎の間の部分であり、頭と第７頸椎の間の細くなっている部分である首だけでなく、首の付け根から肩の手前までの水平方向に広がっている部分も含むものである。頸を始め、外側頸部、肩甲上部などの人体の各部名称は、看護学入門１  人体のしくみと働き（メヂカルフレンド社）の図１−１、図１−２に示されている名称を用いている。
【課題を解決するための手段】
【０００８】
本発明者は、上記課題を解決するために鋭意検討した結果、長時間装着しても頸に負担をかけることが極めて少なくするために、従来になかった人体の背、肩甲上部区域、後頸部、及び後頭部の少なくとも１つの上半身上部背面と、胸にフレームの少なくとも一部を押しつけてフレームを固定するという全く新しい発想を思いつき、基本的に上半身上部背面押さえ部材と胸押さえ部材を頸跨ぎ部材で連結させる構造のフレームにすることにより、安定して簡単に装着でき、長時間装着しても頸に負担をかけることが極めて少なくすることを見出し、本発明を完成するに至った。
【０００９】
すなわち、本発明は、上半身上部背面押さえ部材と、頸の上を背側から胸側に跨ぐ形状を有する頸跨ぎ部材と、胸押さえ部材を有するフレームであって、該上半身上部背面押さえ部材が該頸跨ぎ部材の背面側に連結され、該胸押さえ部材が該頸跨ぎ部材の胸側に連結されている物品保持用頸跨ぎ装着フレームを提供するものである。
【００１０】
また、本発明は、上記物品保持用頸跨ぎ装着フレームにおいて、上半身上部背面押さえ部材と、頸跨ぎ部材、及び胸押さえ部材の少なくとも１つの部材が可撓性を有する物品保持用頸跨ぎ装着フレームを提供するものである。
また、本発明は、上記物品保持用頸跨ぎ装着フレームにおいて、頸跨ぎ部材が、首横の左右の頸の上をそれぞれ跨ぐ２つの頸跨ぎ部材からなる物品保持用頸跨ぎ装着フレームを提供するものである。
また、本発明は、上記物品保持用頸跨ぎ装着フレームにおいて、頸跨ぎ部材が胸板厚幅調整機能を有する物品保持用頸跨ぎ装着フレームを提供するものである。
【００１１】
また、本発明は、上記物品保持用頸跨ぎ装着フレームにおいて、胸押さえ部材にウエアラブル端末保持部材が設けられている物品保持用頸跨ぎ装着フレームを提供するものである。
また、本発明は、上記物品保持用頸跨ぎ装着フレームにおいて、上半身上部背面押さえ部材が、背押さえ部材、肩甲上部区域押さえ部材、後頸部押さえ部材及び後頭部押さえ部材の少なくとも１つである物品保持用頸跨ぎ装着フレームを提供するものである。
また、本発明は、上記物品保持用頸跨ぎ装着フレームにおいて、後頭部押さえ部材又は後頸部押さえ部材に保冷剤保持部が設けられている物品保持用頸跨ぎ装着フレームを提供するものである。
【発明の効果】
【００１２】
本発明の物品保持用頸跨ぎ装着フレームは、人体の首の横の頸を跨いで簡単に着脱自在に装着することができ、装着後には上半身上部背面押さえ部材は上半身上部背面を押さえつけることができ、また、胸押さえ部材が胸を押さえつけることができるので、人体が飛び跳ねしても安定して上半身上部に固定することができる。また、本発明の物品保持用頸跨ぎ装着フレームは、物品を保持した状態では、物品の重量に応じて重力がかかり、その重力の圧力により胸部と上半身上部背面部を押し付ける力が増加し、より安定して上半身上部に固定することができる。また、本発明の物品保持用頸跨ぎ装着フレームは、上半身上部背面押さえ部材と胸押さえ部材の間隔は、人の手の力により押し広げてその間隔を広くすることができ、広くしたことにより、首の横の頸の上から上半身上部背面押さえ部材を上半身上部背面の位置に、また、胸押さえ部材を胸の位置に装着し易くすることができ、上半身上部背面押さえ部材と胸押さえ部材の背面側から胸側方向の間隔を人の手の力により押し広げることにより、本発明の物品保持用頸跨ぎ装着フレームには、元の形状に戻ろうとしてその間隔を狭くしようとする反発力が生じて、上半身上部背面押さえ部材は上半身上部背面を一層押さえつけることができ、また、胸押さえ部材が胸を一層押さえつけることができ、安定して上半身上部に固定することができる。
【発明を実施するための最良の形態】
【００１３】
本発明の物品保持用頸跨ぎ装着フレームは、上半身上部背面押さえ部材と、頸の上を背面側から胸側に跨ぐ形状を有する頸跨ぎ部材と、胸押さえ部材を有するフレームである。
本発明において、フレームとは、棒状部材、管状部材、板状部材などの各種形状部材の少なくとも１種の部材又はその組み合わせからなる構造物（例えば、骨組み）を意味する。
従って、フレームを構成する各種部材である、上半身上部背面押さえ部材と、頸の上を背面側から胸側に跨ぐ形状を有する頸跨ぎ部材と、胸押さえ部材は、それぞれ棒状部材であってもよし、管状部材であってもよいし、板状部材であってもよいし、その他の形状の部材であってもよい。これらの部材は、軽量化のために、多数の穴を空けたものであってもよいし、発泡構造にしたものであってもよい。板状部材の厚みは、特に制限ないが、通常１〜２０ｍｍが好ましく、２〜１０ｍｍがより好ましく、２〜８ｍｍが特に好ましい。
【００１４】
本発明の物品保持用頸跨ぎ装着フレーム（以下、本発明のフレームということもある。）において、前記上半身上部背面押さえ部材は、前記頸跨ぎ部材の背面側に連結され、前記胸押さえ部材は、前記頸跨ぎ部材の胸側に連結されている。
上半身上部背面押さえ部材が頸跨ぎ部材の背面側に連結される位置は、頸跨ぎ部材の背面側のいずれの位置でもよいが、頸跨ぎ部材の背面側の先端であることが好ましい。
また、胸押さえ部材が頸跨ぎ部材の胸側に連結される位置は、頸跨ぎ部材の胸側のいずれの位置でもよいが、頸跨ぎ部材の胸側の先端であることが好ましい。
【００１５】
上半身上部背面押さえ部材は、上半身上部背面を押える働きをするものであり、バネにより上半身上部背面を押えることができるものであってもよいし、ゴムを押さえた時に生じる反発力により上半身上部背面を押さえることができるものであってもよいし、本発明のフレームの少なくとも一部が可撓性を有することに起因する反発力により上半身上部背面を押えることができるものであってもよいが、フレームの可撓性を利用する後者が好ましい。
【００１６】
可撓性とは、力を加えて曲げたり、撓みを持たせることができ、力を除くと元の形状に戻る性質を言う。
従って、本発明において、可撓性とは、上半身上部背面押さえ部材と胸押さえ部材の間隔を人の手の力により押し広げることにより、本発明の物品保持用頸跨ぎ装着フレームには、元の形状に戻ろうとしてその間隔を狭くしようとする反発力が生じて、押し広げる力を除くと元の形状に戻る性質のことを言う。別言すれば、可撓性とは、本発明の物品保持用頸跨ぎ装着フレームを弾性変形する範囲内で人の手の力で押し広げ、押し広げる力を除くと、そのフレームの弾性により元の形状に戻る性質のことを言う。
【００１７】
本発明の物品保持用頸跨ぎ装着フレームは、上記可撓性を少なくとも一部に有することにより、上半身上部背面押さえ部材は上半身上部背面を一層押さえつけることができ、また、胸押さえ部材が胸を一層押さえつけることができ、安定して固定することができる。
本発明においては、頸跨ぎ部材と上半身上部背面押さえ部材と胸押さえ部材のうち、少なくとも１つの部材が可撓性を有すればよいが、少なくとも上半身上部背面押さえ部材及び胸押さえ部材のいずれか一方が可撓性を有することが好ましく、頸跨ぎ部材と上半身上部背面押さえ部材と胸押さえ部材のいずれもが可撓性を有することがより好ましい。
【００１８】
上記可撓性を有するためには、頸跨ぎ部材と、上半身上部背面押さえ部材と、胸押さえ部材は、剛性を有することが好ましく、また、硬質であることが好ましい。
頸跨ぎ部材と、上半身上部背面押さえ部材と、胸押さえ部材に上記可撓性を与えることができる材質としては、軟質樹脂、汎用樹脂やエンジニアリング樹脂などの硬質樹脂、自動車の車体、部品や、飛行機の機体、部品や、競技用義足等の軽量化素材である炭素繊維複合材、ステンレススチール、アルミニウム合金などの金属等が挙げられ、硬質樹脂が好ましい。
【００１９】
樹脂（特に、硬質樹脂）としては、例えば、高密度ポリエチレン等のポリエチレン系樹脂、ポリプロピレン系樹脂などのポリオレフィン系樹脂、ポリエチレンテレフタレート、ポリエチレンナフタレート、ポリブチレンテレフタレートなどのポリエステル系樹脂、ポリ塩化ビニル樹脂、ポリオキシメチレン（ＰＯＭ）樹脂などのポリアセタール樹脂、シリコーン樹脂、ポリスチレン樹脂、ポリカーボネート樹脂、ポリアミド樹脂、ポリイミド樹脂、フッ素系樹脂、アクリロニトリル−ブタジエン−スチレン共重合体またはこれらの樹脂の構成単位のいずれかを含む共重合体などの各種合成樹脂があげられるが、ポリプロピレン系樹脂、ポリエステル系樹脂、ポリ塩化ビニル樹脂、ポリアセタール樹脂、シリコーン樹脂、ポリスチレン樹脂、ポリカーボネート樹脂、ポリアミド樹脂が好ましく、ポリアセタール樹脂、シリコーン樹脂が特に好ましい。
【００２０】
なお、上記樹脂は、頸跨ぎ部材と、上半身上部背面押さえ部材と、胸押さえ部材に可撓性を与えない状態でも、使用することができる。
上記樹脂には、可撓性を向上させるために、ゴムなどの改質剤を配合してもよい。ゴムとしては、スチレン−ブタジエンゴム、ポリイソブチレンゴム、イソブチレン−イソプレンゴム、イソプレンゴム、スチレン−イソプレンブロック共重合体、スチレン−ブタジエンブロック共重合体、スチレン−エチレン−ブチレンブロック共重合体、エチレン−酢酸ビニル熱可塑性エラストマーなどが挙げられる。
【００２１】
また、上記樹脂には、必要に応じて、紫外線吸収剤、酸化防止剤、充填材、染料又は顔料などの着色剤などの１種以上を適宜配合することができる。充填材としては、シリカ、タルク、クレー、炭酸カルシウムなどが挙げられる。
フィラーとしては、酸化チタン、シリカ、炭酸カルシウム、硫酸バリウム、タルクなどの無機フィラー、及びでんぷんなどの有機フィラー等が挙げられる。
なお、本発明においては、頸跨ぎ部材と背押さえ部材と胸押さえ部材のすべてが可撓性を有しなくても、頸跨ぎ部材の内側又は外側に、可撓性を有するカバーを取り付けることにより、本発明の物品保持用頸跨ぎ装着フレームに可撓性を付与することができる。
【００２２】
頸跨ぎ部材は、鎖骨の上端から肩甲上部区域の上端までの間の頸（特に、外側頸部）の上部を跨ぐものである。
頸跨ぎ部材は、鎖骨の上端から肩甲上部区域の上端までの間の全ての頸の上部を跨ぐものであってもよいし、鎖骨の上端から肩甲上部区域の上端までの間の一部の頸の上部を跨ぐものであってもよい。例えば、鎖骨の上端から外側頸部の頂部を超えて、さらに、外側頸部の頂部から肩甲骨の上端までの間のいずれかの地点までの間の頸の上部を跨ぐものであってもよい。
なお、頸跨ぎ部材の頸を跨ぐ位置は、首に近い方が安定するので好ましく、首の付け根を起点として、首の付け根から肩の手前までの水平方向の長さの好ましくは３／４以内、より好ましくは２／３以内、更に好ましくは１／２以内の首に近い範囲が望ましい。
頸跨ぎ部材は、肩関節上部の硬い骨ではなく、僧帽筋上部線維がある頸（特に、外側頸部）の上方を跨ぐように配置することが好ましい。
頸跨ぎ部材は、柔らかい筋肉の上方を通過するときは、筋肉が痛みを感じない範囲内で、軽く触ってもよいが、触らない方が好ましい。なお、頸跨ぎ部材が筋肉に接触する場合は、後述する緩衝材を挟んで筋肉が痛みを感じないようにすることが好ましい。
【００２３】
頸跨ぎ部材は、頸（特に、外側頸部）の上方を跨ぐ形状を有するものであるが、軽量化のためには、できるだけ短くすることが好ましく、頸跨ぎ部材の上部の首の横では背側から胸側の方向に直線形状であってもよいが、円弧状の曲線形状や、背側から胸側の方向の首横の頸の表面形状と同様な曲線形状であってもよい。
頸跨ぎ部材は、可撓性を有する形状であることが好ましく、樹脂のフィルムのように薄いと、可撓性を有することができないので、可撓性を持たせるためにはある程度の厚みと幅が必要である。
【００２４】
頸跨ぎ部材に可撓性を持たせるための頸跨ぎ部材の厚みは、頸跨ぎ部材の材質によるが、２ｍｍ以上が好ましく、４ｍｍ以上がより好ましく、６ｍｍ以上がさらに好ましい。また、頸跨ぎ部材に可撓性を持たせるための頸跨ぎ部材の幅は、頸跨ぎ部材の材質によるが、４ｍｍ以上が好ましく、６ｍｍ以上がより好ましく、８ｍｍ以上がさらに好ましい。一方、軽量化の観点からは、頸跨ぎ部材の厚みは、薄い方が好ましく、２０ｍｍ以下が好ましく、１５ｍｍ以下がより好ましい。また、軽量化の観点からは、頸跨ぎ部材の幅は、狭い方が好ましく、４０ｍｍ以下が好ましく、３０ｍｍ以下がより好ましく、２０ｍｍ以下が特に好ましい。
【００２５】
頸跨ぎ部材は、右頸又は左頸のいずれか一方のみを跨ぐ一つの頸跨ぎ部材からなるものであってもよいが、右頸及び左頸の両方をそれぞれ跨ぐ二つの頸跨ぎ部材からなるものが好ましい。
右頸及び左頸の両方をそれぞれ跨ぐ二つの頸跨ぎ部材からなる場合、左右の頸跨ぎ部材の間隔は、首の幅よりも大きいことが好ましく、頭の幅よりも大きいことがより好ましい。
上半身上部背面押さえ部材は、上半身上部背面を押さえる作用を有するものである。上半身上部背面押さえ部材が上半身上部背面を押さえ、かつ、胸押さえ部材が胸を押さえることにより、本発明のフレームを固定することができる。
本発明において、上半身上部背面とは、腰部を除いた、肋骨の下端よりも上の背面であって、上肢（肩関節を含む）を除いた背面である。つまり、上半身上部背面とは、人体の背、肩甲上部区域、後頸部、及び後頭部の区域をいう。
【００２６】
上半身上部背面押さえ部材が押さえることができる範囲は、人体の背、肩甲上部区域、後頸部、及び後頭部の各区域の少なくとも１つの区域からなる上半身上部背面であり、これらの２つ以上の区域の上半身上部背面であってもよい。なお、上半身上部押さえ部材が押さえることができる範囲は上半身上部背面の少なくとも１区域であることが必須であり、本発明のフレームをコンパクトにする観点からは、この上半身上部背面の範囲内だけを押さえることが好ましいが、この範囲内を押さえた上で、この範囲を超えて、さらに、他の背面も押さえるものを排除するものではない。また、上半身上部背面押さえ部材が押さえる範囲は、各区域の全部であってもよいが、各区域の一部であってもよい。
ここで、背とは、肩甲骨及び左右の肩甲骨間の区域の両方を含む範囲であり、肩甲間部と左右の肩甲間部の間の脊柱部も含まれる。肩甲上部区域とは、肩甲上部と左右の肩甲上部間の区域の両方を含む範囲であり、後頸部とは、肩甲上部区域と後頭部との間の区域であり、後頭部とは、後頭骨の範囲である。
なお、本発明において用いる人体の上半身の胸面の各部位の名称を図１５及び人体の上半身の背面の各部位の名称を図１６に示す。なお、図１５において、外側頸部が左側のみ記載されているが、右側にも当然存在し、右側の外側頸部は省略されている。外側頸部は、頸部のなかの首の付け根から縦方向に点線が付されているが、その点線よりも外側の部位を言う。
【００２７】
上半身上部背面押さえ部材は、背を押さえることができる背押さえ部材、肩甲上部を押さえることができる肩甲上部区域押さえ部材、後頸部を押さえることができる後頸部押さえ部材、後頭部を押さえることができる後頭部押さえ部材の少なくとも１つの部材であってもよいし、２つ以上の部材を組み合わせたものであってもよい。２つ以上の部材を組み合わせる場合、２つ以上の部材を連結したものであってもよいし、２つ以上の部材を一体成形したものであってもよい。
また、上半身上部背面押さえ部材は、背面に対面する背面押さえ部材の表面の全部で背面を押さえる必要はなく、上半身上部背面に対面する上半身上部背面押さえ部材の表面の一部の押さえ部で押さえるものであってもよい。
なお、ここで、上半身上部背面押さえ部材の押さえ部とは、上半身上部背面押さえ部材が上半身上部背面の各区域を押さえている部分をいう。同様に、胸押さえ部材の押さえ部とは、胸押さえ部材が胸を押さえている部分をいう。
【００２８】
背押さえ部材は、背を押さえる作用を有するものである。
背押さえ部材で押さえつける力の程度は、痛みを感じない範囲内の押さえつける力の範囲であればよい。
背押さえ部材が背を押さえる範囲は、背の範囲であればよいが、左右の肩甲骨のいずれか一方、または左右の肩甲骨の両方、および左右の肩甲骨で挟まれている背骨を中心とする範囲のいずれかの範囲、又は２つ以上の範囲の組合せが好ましい。左右の肩甲骨で挟まれている背骨を中心とする範囲は、体の中心の体幹になるので、歩行時の腕振り動作や、体の捻り動作などによる振動や、衝撃が伝わり難いので好ましい。
【００２９】
背押さえ部材の形状は、例えば、肩甲骨や、又は背骨を押さえつけやすいような形状であればよいが、本発明のフレームを安定して装着するために、ある程度の面で肩甲骨を押さえる場合は、肩甲骨を押さえるある程度の面積の面を有する形状であることが好ましく、本発明のフレームを軽量化やコンパクトに小さくするために、背骨を押さえる場合は、背骨を押さえるある程度の面積の面を有する縦長形状（背骨の頂部から下端方向への縦長形状）を有するものであることが好ましい。背押さえ部材が肩甲骨を押さえることができる面の面積は、肩甲骨の表面積の１／２０以上が好ましく、１／１５以上がより好ましく、１／１０以上がさらに好ましく、１／５以上が特に好ましい。背押さえ部材が肩甲骨を押さえることができる面の面積は、背押さえ部材の軽量化のためには、狭い方が好ましいので、その面積の上限値は、肩甲骨の表面積の１／２以下が好ましく、１／３以下がより好ましく、１／４以下が特に好ましい。
【００３０】
背押さえ部材の形状は、左右両方の肩甲骨を背押さえ部材により押える場合は、左右両方の肩甲骨を押さえることができる横長形状が好ましく、背骨を背押さえ部材により押える場合は、背骨を押さえることができる縦長形状が好ましく、左右両方の肩甲骨と背骨のいずれをも背押さえ部材により押える場合は、横長形状と縦長形状を組み合わせた形状、例えば、字線幅の広い略「Ｔ」の字又は略「Ｙ」の字の形状が好ましい。
また、背押さえ部材の形状は、背骨の中心線に対して左右対称形であることが好ましい。
【００３１】
背押さえ部材が左右両方の肩甲骨を押さえることができる横長形状である場合、その横の長さは、首の横幅以上が好ましく、頭の横幅以上がより好ましい。
背押さえ部材が肩甲骨を押さえることができる範囲は、背骨に近い肩甲骨の内側から腕に近い肩甲骨の外側までの肩甲骨の横幅の全長に対して、背骨に近い肩甲骨の内側から２／３までの範囲が好ましく、１／２以下がより好ましい。背押さえ部材の横長形状は、この範囲になるようにすることが好ましい。
【００３２】
背押さえ部材が背骨を押さえることができる範囲は、背骨のＳ字カーブを形成している胸椎の範囲が好ましく、背押さえ部材を安定して装着するためには、胸椎の広い範囲に背押さえ部材を押し付けることが好ましく、例えば、１２個の椎からなる胸椎のうち、上から５個目の椎より上の範囲がより好ましく、上から７個目の椎より上の範囲がさらに好ましい。一方、背押さえ部材を簡単に装着するためには、背押さえ部材はコンパクトにすることが好ましく、例えば、１２個の椎からなる胸椎のうち、上から５個目の椎より上の範囲がより好ましく、上から３個目の椎より上の範囲がさらに好ましい。背押さえ部材の脊椎方向の縦長形状は、この範囲になるようにすることが好ましい。なお、本発明のフレームを上方向にずらせないようにするために、背押さえ部材の縦長形状の縦方向（脊椎方向）の下限は、胸椎の上から８個目の椎よりも下の範囲にすることが好ましく、また、背押さえ部材の縦長形状の縦方向の長さは、３ｃｍ以上にすることが好ましく、５ｃｍ以上にすることがより好ましく、８ｃｍ以上にすることがさらに好ましい。また、背押さえ部材の縦長形状の横方向の幅は、背骨の幅の１／２よりも大きいことが好ましく、背骨の幅よりも大きいことがより好ましく、縦方向の上に行くにつれて漸次その幅を大きくすることが好ましい。
【００３３】
肩甲上部区域押さえ部材は、肩甲上部区域を押さえる作用を有するものである。
肩甲上部区域押さえ部材で押さえつける力の程度は、痛みを感じない範囲内の押さえつける力の範囲であればよい。
肩甲上部区域押さえ部材が肩甲上部区域を押さえる範囲は、肩甲上部区域の範囲であればよく、具体的には、左右の肩甲上部のいずれか一方、または左右の肩甲上部の両方、および左右の肩甲上部区域で挟まれている頸椎の範囲のいずれかの範囲、又は２つ以上の範囲の組合せの範囲である。左右の肩甲上部で挟まれている頸椎の範囲は、押し付けても痛みを感じ難いし、また、体の中心の体幹になるので、歩行時の腕振り動作や、体の捻り動作などによる振動や、衝撃が伝わり難いので、好ましい。
【００３４】
肩甲上部区域押さえ部材の形状は、肩甲上部を押さえる場合は、肩甲上部を押さえつけやすいような形状であればよいが、頸椎に比べて痛みを感じやすい肩甲上部を押さえる際に生じる痛みを和らげるためには、ある程度の面で肩甲上部を押さえることが好ましいので、ある程度の面積の面を有する形状であることが好ましい。肩甲上部区域押さえ部材が肩甲上部を押さえることができる面の面積は、肩甲上部の表面積の１／１０以上が好ましく、１／５以上がより好ましく、１／３以上が特に好ましい。肩甲上部区域押さえ部材が肩甲上部を押さえることができる面の面積は、肩甲上部区域押さえ部材の軽量化のためには、狭い方が好ましいので、その面積の上限値は、肩甲上部の表面積の１／１．５以下が好ましく、１／２以下がより好ましく、１／２．５以下が特に好ましい。
肩甲上部区域押さえ部材の形状は、左右両方の肩甲上部を押さえることができる横長形状が好ましく、左右両方の肩甲上部及びそれらに挟まれている頸椎を肩甲上部区域押さえ部材により押える場合は、例えば、字線幅の広い略「一」の字の形状が好ましい。
また、肩甲上部区域押さえ部材の形状は、頸椎の中心線に対して左右対称形であることが好ましい。
【００３５】
後頸部押さえ部材は、後頸部を押さえる作用を有するものである。
後頸部押さえ部材は、背押させ部材と肩甲上部区域押さえ部材のいずれか一方又は両方と組み合わせることが好ましい。
後頸部押さえ部材で押さえつける力の程度は、痛みを感じない範囲内の押さえつける力の範囲であればよい。
後頸部押さえ部材が後頸部を押さえる範囲は、後頸部の範囲であればよいが、後頸部の下部に存在する、表面の筋肉量の少ない頸椎を中心とする範囲が好ましい。この頸椎を中心とする範囲は、後頸部の上部に比べて押し付けても痛みを感じ難いし、また、体の中心の体幹になるので、歩行時の腕振り動作や、体の捻り動作などによる振動や、衝撃が伝わり難いので好ましい。
【００３６】
後頸部押さえ部材の形状は、頸椎以外の部分を押さえる場合、後頸部を押さえつけやすいような形状であればよいが、頸椎に比べて痛みを感じやすい後頸部を押さえる際に生じる痛みを和らげるためには、ある程度の面で後頸部を押さえることが好ましいので、ある程度の面積の面を有する形状であることが好ましい。後頸部押さえ部材が後頸部を押さえることができる面の面積は、後頸部の表面積の１／１０以上が好ましく、１／６以上がより好ましく、１／４以上が特に好ましい。後頸部押さえ部材が後頸部を押さえることができる面の面積は、後頸部押さえ部材の軽量化のためには、狭い方が好ましいので、その面積の上限値は、後頸部の表面積の１／１．５以下が好ましく、１／２以下がより好ましく、１／３以下が特に好ましい。
後頸部押さえ部材の形状は、後頸部の形状に合わせた平面形状が好ましい。
また、後頸部押さえ部材の形状は、頸椎の中心線に対して左右対称形であることが好ましい。
なお、後頸部押さえ部材において、後頸部と接触する部分は丸みを帯びている形状であることが痛みを感じることが少ないので好ましい。
【００３７】
後頭部押さえ部材は、後頭部を押さえる作用を有するものである。
後頭部押さえ部材は、背押させ部材と肩甲上部区域押さえ部材のいずれか一方又は両方と組み合わせることが好ましい。
後頭部押さえ部材で押さえつける力の程度は、痛みを感じない範囲内の押さえつける力の範囲であればよい。
後頭部押さえ部材は、常に後頭部を押さえつけるものであってもよいが、常に後頭部を押さえつけている必要はなく、後頭部を後ろ方向又は後頭部を左右いずれかの方向、或いはそれらの間の任意の方向に倒したときに、後頭部を押さえつけるものであってもよい。
後頭部押さえ部材が後頭部を押さえる範囲は、後頭部の範囲であればよく、後頭部を左半分の左後頭部と右半分の右後頭部に分けた場合、左後頭部又は右後頭部のいずれか一方であってもよいし、両方であってもよいが、後者が好ましい。
【００３８】
後頭部押さえ部材は、頸跨ぎ部材を介して胸押さえ部材に連結されており、後頭部を後ろ方向の任意の方向に倒すと後頭部が後頭部押さえ部材に接触して後頭部が後頭部押さえ部材を下半身方向に押さえることになり、後頭部押さえ部材は元に戻ろうとする反発力が働いて、頸跨ぎ部材を下半身方向に押さえることができ、それにより胸押さえ部材を下半身方向に押さえることになり、さらに、それにより胸押さえ部材を下半身方向に押さえることになり、胸押さえ部材が胸を強く押さえることができる。このような作用により、後頭部押さえ部材が後頭部を押さえ、胸押さえ部材が胸を押さえることになり、本発明のフレームをより一層固定することができる。この作用による本発明のフレームを固定する力は、他の上半身上部背面押さえ部材が無くても、固定できるものであることが好ましい。一方、倒した後頭部を元に戻すと、頸跨ぎ部材を下半身方向に押さえる力を除くことができる。このため、後頭部の後ろ方向への倒し方の程度や、後頭部を倒す方向に応じて、胸押さえ部材の押さえる力を調整することができる。また、首を回すことにより、及び／又は首を傾けることにより、左後頭部又は右後頭部のいずれか一方を後ろ方向の任意の方向に倒し、左右の胸押さえ部材のいずれか一方の押さえる力も調整することができる。
【００３９】
後頭部押さえ部材の形状は、後頭部を押さえつけやすいような形状であればよいが、左後頭部と右後頭部の両方を押さえる場合、連続した部材で左右の後頭部を押さえることが好ましく、また、連続した部材の両端は、それぞれ、左右の頸跨ぎ部材に連結する形状であることが好ましい。
後頭部押さえ部材が頸跨ぎ部材に連結されている場合、後頭部押さえ部材は、後頭部を直接押さえつけるための後頭部押さえ部と、その後頭部押さえ部と頸跨ぎ部材とを連結するための頸跨ぎ部材への連結部からなる形状であることが好ましい。
後頭部押さえ部の形状は、左後頭部と右後頭部の両方を押さえる場合、例えば、略Ｕ字、略Ｘ字、略逆Ｖ字、略逆Ｕ字又は略Ω字の形状が好ましい。略Ｘ字の形状は、クロスしている直線は、曲線であってもよく、特に外側に膨らみを持たせた曲線が好ましい。前記略Ｕ字、略逆Ｕ字の形状は、縦方向の直線は、斜線であってもよく、曲線であってもよい。また、前記略Ｖ字における斜線は、曲線であってもよい。これらの略字の形状を構成する部材としては、棒状部材、管状部材、平板状部材などの種々の部材が挙げられる。
【００４０】
また、左後頭部又は右後頭部のいずれか一方を後ろ方向の任意の方向に倒し、後頭部押さえ部に押し付けて、それにより左右の胸押さえ部材のいずれか一方の押さえる力を調整する場合、後頭部押さえ部には、左後頭部により押さえることができる形状と、右後頭部により押さえることができる形状を有することが好ましく、それらは左右対称であることが好ましく、特に、左後頭部と右後頭部の境界線上を中央線として左右対称であることが好ましい。
なお、後頭部押さえ部において、後頭部と接触する部分は丸みを帯びている形状であることが痛みを感じることが少ないので好ましい。
後頭部押さえ部材における、頸跨ぎ部材への連結部には、後頭部を後ろ方向の任意の方向に倒すと後頭部が後頭部押さえ部に接触して後頭部が後頭部押さえ部材を後頭部から下半身方向に押さえることになり、後頭部押さえ部材は元に戻ろうとする反発力が働いて、頸跨ぎ部材を後頭部から下半身方向に押さえることができる形状を有することが好ましい。このような形状としては、後頭部から下半身方向に配置された略半円弧状の湾曲線形状、後頭部から下半身方向に配置された折り曲げ線形状などが挙げられる。
この連結部は、後頭部押さえ部よりもより可撓性を有するものが、頸跨ぎ部材を下半身方向により強く押さえることができるので好ましい。
また、後頭部押さえ部材の形状は、後頭部の中心線に対して左右対称形であることが好ましい。
【００４１】
なお、後頭部押さえ部材の少なくとも一部には、シート、不織布、織布、ネット（網）、スポンジ等の後頭部支え具を張って、その後頭部支え具が後頭部に接触して、後頭部を押さえることができるものであってもよい。この場合、後頭部押さえ部材は、後頭部支え具を介して後頭部を押さえていることになる。後頭部支え具のみが後頭部を押さえてもよいし、後頭部支え具と共に後頭部押さえ部材が後頭部を押さえてもよい。後頭部支え具は、伸縮性を有していなくてもよいが、伸縮性を有するものが後頭部を柔らかく支えることができるので、好ましい。伸縮性のない後頭部支え具は、後頭部の形状に合わせた形状にすることにより、後頭部に痛みを生じることなく押さえることができる。
【００４２】
後頭部押さえ部材は、着脱自在に取り替えることができるものであってもよい。後頭部押さえ部材に後頭部支え具が張られている場合は、後頭部支え具が張られている部分のみを着脱自在に取り替えることができるものであってもよい。
後頭部支え具は、後頭部押さえ部材と同様な形状の枠に張って、後頭部支え具が張られた枠を後頭部押さえ部材に装着させてもよい。この場合、ワンタッチで着脱自在に装着することが好ましく、ワンタッチ装着具としては、可撓性の一対の爪を後頭部支え具が張られた枠に設けて、その可撓性の一対の爪で、後頭部押さえ部材を挟み付けて、装着するものが挙げられる。後頭部支え具に取り付けるワンタッチ装着具の数は、１個以上であればよいが、２個以上が好ましく、３個以上がより好ましい。このワンタッチ装着具の数の上限は、特に制限ないが、装着を簡単にするためには、少ない方が好ましく、６個以下がより好ましい。
なお、夏場などの暑い環境で後頭部を後頭部保護材に接触させる場合は、後頭部保護材に通気性を持たせて蒸れを少なくすることが好ましく、通気性の後頭部保護材としては、伸縮性のネット（網）が好ましい。
【００４３】
胸押さえ部材は、胸を押さえる作用を有するものである。胸押さえ部材が胸を押さえ、かつ、上半身上部背面押さえ部材が上半身上部背面を押さえることにより、本発明のフレームを固定することができる。
胸押さえ部材が胸を押さえる範囲は、胸の範囲であればよいが、胸の幅方向については、胸骨の中心から左右肩方向に胸骨の中心から肩端までの左右肩幅の２／３の地点よりも中心側の範囲が好ましい。つまり、右頸に載せる場合は、胸骨の中心から右肩方向に胸骨の中心から肩端までの右肩幅の２／３の地点よりも中心側の範囲が好ましく、胸骨の中心から右肩方向に胸骨の中心から肩端までの右肩幅の１／２の地点よりも中心側の範囲がより好ましい。なお、胸骨およびその周辺は、体の中心の体幹になるので、歩行時の腕振り動作や、体の捻り動作などによる振動や、衝撃が伝わり難いので好ましいが、左右の胸押さえ部材を用いる場合は、それらの間隔が狭くなるのでフレームの装着が難しくなるので好ましくない。この場合、胸骨の中心から左右方向にそれぞれ２ｃｍ以内の範囲は、胸押さえ部材で押える範囲から除くことが好ましい。
【００４４】
なお、胸押さえ部材の胸に対面している部分は、全ての範囲において胸を押さえる必要はなく、いずれかの部分で胸を押さえていればよい。
胸押さえ部材が胸を押さえる胸の縦方向については、鎖骨と第五肋骨の間の範囲が好ましく、鎖骨と第三肋骨の間の範囲がより好ましく、鎖骨が特に好ましい。
ここで、鎖骨と第五肋骨の間の範囲とは、鎖骨と第五肋骨を含む鎖骨と第五肋骨の間の範囲を言う。
【００４５】
胸押さえ部材の形状は、胸を押さえる作用を有する形状であれば、どのような形状であってもよく、例えば、平面形状や、鎖骨や肋骨の表面を覆って、鎖骨や肋骨を押さえつけやすいような窪みを有する形状、鎖骨や肋骨の下の窪みに入り、鎖骨や肋骨を下から押し付けやすいような突起を有する形状などが挙げられる。胸押さえ部材の形状が平面形状である場合、頸跨ぎ部材の胸に向き合っている表面が平面であるときは、頸跨ぎ部材の平面と同様な平面を有する形状であって、頸跨ぎ部材の平面と連なって同一平面を形成するような平面を有する形状が好ましい。
胸押さえ部材が平面形状である場合、その平面の大きさは、大きい方が胸を押さえつけ易いので好ましいが、大きすぎると軽量化の観点から好ましくない。この平面の大きさは、上記した胸押さえ部材が胸を押さえる範囲内で適宜選定すればよい。
胸押さえ部材が突起を有する形状である場合、突起の数は１個でもよいし、２個以上でもよく、突起の数の上限は５個以下が好ましい。
また、左右２つの背押さえ部材が装着される場合は、左右２つの背押さえ部材の形状は、胸骨の中心線に対して左右対称形であることが好ましい。
左右２つの胸押さえ部材同士は、連結してもよいが、連結していない方が本発明のフレームを首の横を通して装着し易いので、好ましい。なお、本発明のフレームを装着した後に、左右２つの胸押さえ部材同士を連結部材などで連結してもよい。
【００４６】
人の手の力を与えない状態での胸押さえ部材の押さえ部と背押さえ部材又は肩甲上部区域押さえ部材の押さえ部との間隔は、各押さえ部材の押さえ部における胸板厚の幅よりも１〜８ｃｍ短い間隔が好ましく、１．５〜６ｃｍ短い間隔がより好ましく、２〜４ｃｍ短い間隔がより好ましい。このように、人の手の力を与えない状態での胸押さえ部材と背押さえ部材又は肩甲上部区域押さえ部材の間隔を、胸板厚の幅よりも短くすることで、人の手の力で胸押さえ部材と背押さえ部材又は肩甲上部区域押さえ部材の間隔を押し広げると、可撓性に起因して胸押さえ部材と背押さえ部材又は肩甲上部区域押さえ部材の間隔を狭くしようとする反発力が生じて、胸押さえ部材が胸を押さえつけることができ、また背押さえ部材が背を押さえつけ又は肩甲上部区域押さえ部材が肩甲上部区域を押さえることができる。
【００４７】
人の手の力を与えない状態での胸押さえ部材の押さえ部と後頸部押さえ部材の押さえ部との水平方向の間隔は、人体が起立状態である場合の後頸部表面の垂直線と胸表面の垂直線の間隔よりも１〜８ｃｍ短い間隔が好ましく、１．５〜６ｃｍ短い間隔がより好ましく、２〜４ｃｍ短い間隔がより好ましい。
また、人の手の力を与えない状態での胸押さえ部材の押さえ部と後頭部押さえ部材の押さえ部との水平方向の間隔は、人体が起立状態である場合の後頭部表面の垂直線と胸表面の垂直線の間隔よりも１〜８ｃｍ短い間隔が好ましく、１．５〜６ｃｍ短い間隔がより好ましく、２〜４ｃｍ短い間隔がより好ましい。
胸押さえ部材と上半身上部背面押さえ部材の間隔は、頸跨ぎ部材に胸板厚幅調整機能を持たせることにより、適宜な幅に調整することができ、胸板厚幅の薄い人から胸板厚幅の厚い人まで、多くの人の胸板厚幅に対応することができる。
頸跨ぎ部材に胸板厚幅調整機能を持たせるには、頸跨ぎ部材を２つに分けて、それらの重ね合わせ部又はそれらの間に胸板厚幅調整具を取り付けることにより行うことができる。
【００４８】
頸跨ぎ部材を２つに分けて、それらを重ね合わせる場合に、背面側から胸側の方向である長手方向にずらすことができ、前記長手方向に直角の方向である横方向にはずらせないことが好ましい。重ね合わされた２つの頸跨ぎ部材を前記長手方向にずらし、前記横方向にずらせない手段の具体例としては、一方の頸跨ぎ部材の前記横方向の両端部に前記長手方向に連続的に又は断続的に突起を設け、それらの両端の突起の間に他方の頸跨ぎ部材をスライドさせるものや、一方の頸跨ぎ部材に前記長手方向に連続的又は断続的に突起を設け、他方の頸跨ぎ部材に前記突起に嵌合する前記長手方向に連続的な溝を設け、２つの頸跨ぎ部材を重ね合わせて前記突起と前記溝を嵌合させスライドさせるものが挙げられる。前者の場合は、一方の頸跨ぎ部材の前記横方向の両端部に設けられた突起に、他方の頸跨ぎ部材の前記横方向の両端が当たり、その突起を乗り越えることができないので、他方の頸跨ぎ部材の前記横方向へのずれを防止することができる。後者の場合は、一方の頸跨ぎ部材に前記長手方向に連続的又は断続的に設けられた突起が他方の頸跨ぎ部材に前記長手方向に設けられた連続的な溝に嵌合するので、他方の頸跨ぎ部材の前記横方向へのずれを防止することができる。
前記突起は、その断面形状が略Ｔ字型や、鉤型のように先端部が曲がっている突起であってもよく、前記溝は、その突起に嵌合できる溝であればよい。
【００４９】
胸板厚幅調整機能を持たせる胸板厚幅調整具としては、（１）重ね合わせた２つに分けた頸跨ぎ部材を背面側から胸側の方向にずらせて幅調整を行い、重ね合わせた２つに分けた頸跨ぎ部材の両面をクリップやクランプなどの締め付け具により固定し、幅調整をするもの、（２）重ね合わせた２つに分けた頸跨ぎ部材を背面側から胸側の方向にずらせて幅調整を行い、重ね合わせた２つに分けた頸跨ぎ部材をバックルにより固定し、幅調整をするもの、（３）重ね合わせた２つに分けた頸跨ぎ部材に折る刃カッターナイフに用いられている折る刃の出し幅調整具と同様な幅調整具を取り付けて、重ね合わせた２つに分けた頸跨ぎ部材を背面側から胸側の方向にずらせて幅調整を行い、重ね合わせた２つに分けた頸跨ぎ部材を折る刃の出し幅調整具と同様な幅調整具により固定し、幅調整をするもの、（４）２つに分けた頸跨ぎ部材のそれぞれに背面側から胸側の方向に一定間隔に穴を開け、その穴をずらせて幅調整を行い、重なった穴にピンなどの固定具を差し込んで２つに分けた頸跨ぎ部材を固定し、幅調整をするもの、（５）２つに分けた頸跨ぎ部材の一方に背面側から胸側の方向に一定間隔に穴を開け、他方に前記穴に差し込みための突起を同じ一定間隔で設け、その突起をずらせて別の穴に差し込んで２つに分けた頸跨ぎ部材を固定し、幅調整をするもの、（６）頸跨ぎ部材に、胸押さえ部材又は上半身上部背面押さえ部材に設けた突起を差し込むための所定の長さの溝や空洞を設けて、胸押さえ部材又は上半身上部背面押さえ部材に設けた突起を前記溝や空洞に差し込みそれぞれの前記部材を連結する際に、その突起の差し込み長さを変えることにより、幅調整をするものなどが挙げられるが、上記（１）や（６）の幅調整をするものが好ましい。
【００５０】
上記（１）において、締め付け具としてのクリップやクランプとしては、枠部の内側空間に被締め付け材を入れて該枠部により締め付けることができる締め付け枠部と、その締め付け枠部の内側空間を広げたり、狭めたりすることができる枠部の内側空間の大きさ調整具を備え、枠部の内側空間を広げることにより、締め付け力を小さくし、枠部の内側空間を狭めることにより締め付け力を大きくすることができる締め付け具であることが好ましく挙げられる。枠部の内側空間の大きさ調整具としては、枠部の２つの末端にそれぞれ連結し、交差して所定間隔を空けて配置された２つの指摘み部からなり、２つの指摘み部を指圧で押さえつけて２つの指摘み部の間隔を狭くすることにより、枠部の内側空間を広げたり、指圧を除去することにより２つの指摘み部の間隔を広くすることにより、枠部の内側空間を狭くすることができる枠部の内側空間の大きさ調整具や、枠部の２つの末端にそれぞれネジ支持部を取り付けて、各ネジ支持部の設けられたネジ穴に１本のネジを通して、ネジを回すことにより、締め付け枠部の内側空間を広げたり、狭めたりすることができる枠部の内側空間の大きさ調整具や、枠部の２つの末端の一方に所定間隔のネジ支持部を取り付けて、各ネジ支持部の設けられたネジ穴にネジを通して、１本のネジを回すことにより、締め付け枠部に設けられたネジ山差し込み穴にネジ山を回転させながら差し込み、締め付け枠部の内側空間を広げたり、狭めたりすることができる枠部の内側空間の大きさ調整具などが挙げられる。
【００５１】
これらのクリップやクランプの市販品としては、ホースバンド、ホースパワーバンド、クリップホースバンド、ターンキーワイヤーホースバンド、ホースクランプ、板クランプ（ワンタッチホースクランプ）、ハンドル付きサイクロンクランプなどが挙げられる。これらの市販品の具体例としては、例えば、クレセントクリップバンド、パワークリップバンド、樹脂ハンド付サイクロン、Ｃ型自在ハンド（いずれも山口商工株式会社製）などが挙げられる。これらの市販品は締め付け部の断面形状が円形であるホースを締め付けるものが多いので、重ね合わせた２つに分けた頸跨ぎ部材の締め付け部の断面形状が円形でない場合は、断面形状が円形になるように、例えば半円柱形などのスペーサーを入れて、締め付けることができる。また、クリップやクランプの締め付け部の断面形状を、重ね合わせた２つに分けた頸跨ぎ部材の締め付け部の断面形状（例えば、四角形など）に合わせたものを好ましく使用することもできる。後者のものは、スペーサーを用いないで締め付けることができるので、好ましい。
【００５２】
上記（３）の折る刃カッターナイフに用いられている折る刃の出し幅調整具は、市販の折る刃カッターナイフと同様な構造を有しており、基本的にはボディーと折る刃とスライダーとからなる構造を有しており、ボディーに代えて頸跨ぎ部材の一方を用い、折る刃に代えて頸跨ぎ部材の他方を用いることにより、幅調整をすることができる。
このような幅調整具の具体例としては、例えば、特開平１１−２６７３７４号公報、特開２００４−１９５０９３号公報、特開２００８−１３６８４４号公報などに記載されているものなどが挙げられる。
上記（６）において、頸跨ぎ部材に設ける所定の長さの溝や空洞は、胸押さえ部材又は上半身上部背面押さえ部材に設けた突起を差し込むためのものである。突起を差し込む手元から先端まで同じ幅の溝や空洞である形状や、手元から先端に向けて先細りの溝や空洞である形状などの溝や空洞の形状に影響されるが、その突起の先端が前記溝や空洞の先端又は側壁に当たり、それ以上は差し込むことができなくなる形状である場合には、差し込み長さを変えた突起と交換して差し込むことにより、幅調整をすることができる。なお、突起は、着脱自在に取り換えることができるものが好ましく、例えば、胸押さえ部材又は上半身上部背面押さえ部材への突起の連結部にネジ穴又は連結用溝を設けて、突起に設けたネジ又は連結用溝鉤を、前記ネジ穴又は連結用溝に固定することが好ましい。なお、所定の長さの溝や空洞は、胸押さえ部材又は上半身上部背面押さえ部材に設け、突起を頸跨ぎ部材に設けてもよい。
【００５３】
胸板厚幅調整具の取り付け位置は、頸跨ぎ部材のいずれの位置でもよいが、頸の上方に配置される位置が好ましい。
頸跨ぎ部材と、上半身上部背面押さえ部材と、胸押さえ部材は、それぞれ別に成形して、その後連結してもよいし、一体で成形してもよい。
また、頸跨ぎ部材と、上半身上部背面押さえ部材と、胸押さえ部材は、後述する後頭骨の下部押さえ部材とそれぞれ別に成形して、その後連結してもよいし、一体で成形してもよい。
頸跨ぎ部材と、上半身上部背面押さえ部材と、胸押さえ部材を別々に成形した場合に、これらの部材の連結は、一方の部材の連結部分を空洞を有するパイプにして、そのパイプの空洞に他方の部材を差し込むことにより連結してもよいし、一方の部材の連結部分に溝を設けて、その溝に他方の部材を差し込むことにより連結してもよいし、ネジなどの結合具を用いて行ってもよいし、接着剤で連結してもよいし、熱接着で連結してもよい。
【００５４】
後頭骨の下部押さえ部材は、背押さえ部材の上方に、設けられることが好ましい。後頭骨の下部押さえ部材は、後頭部押さえ部材の一態様であり、後頭部を上半分の上部後頭部と下半分の下部後頭部に分けた場合に、その下部後頭部である後頭骨の下部を押さえることができる。
後頭骨の下部押さえ部材は、常に後頭骨の下部を押さえている必要はなく、後頭部を後ろ方向又は後頭部を左右いずれかの方向、或いはそれらの間の任意の方向に倒したときに、後頭骨の下部を押さえつけるものであってもよい。
後頭骨の下部押さえ部材は、胸押さえ部材、背押え部材又は頸跨ぎ部材のいずれか又は２つ以上の部材に連結して、設けられることがより好ましく、頸跨ぎ部材に連結して設けられることが特に好ましい。
後頭骨の下部押さえ部材は、後頭骨の下部の窪み又は後頭骨の下部の近傍に配置されるものであり、本発明のフレームが固定位置から上方にせり上がった場合、後頭骨の下部押さえ部材がせり上げられて後頭骨の下部又は後頭骨の下部に当たり、それ以上の上方に本発明のフレームを固定位置から上方にずれさせないようにすることができる。
また、後頭骨の下部押さえ部材は、頭を後ろ方向に反らすか、頭を左右いずれかの方向又は左右方向と後ろ方向の間の任意の方向に傾けて後頭骨の下部で押さえつけると、頭の重みで後頭骨の下部押さえ部材を下方に押し下げることができ、本発明のフレームをしっかりと装着することができ、頭を安定して楽に支えることができる。つまり、後頭骨の下部押さえ部材を頭を保持するために、使用することができる。このため、頸を痛めた患者や、頸が疲れた人が頸に負担を掛けずに長時間に亘り楽に頭を支えることができる。
【００５５】
後頭骨の下部押さえ部材の形状は、上記目的を達成するものであれば特に限定されるものではなく、種々の形状のものが使用できるが、後頭骨の下部の後頭部中央の最も出っ張っている部分（外後頭隆起）には当たらないような形状にすることが好ましい。後頭骨の下部の後頭部中央の最も出っ張っている部分（外後頭隆起）には当たると痛みが生じる場合があるからである。また、後頭骨の下部押さえ部材の形状は、後頭部の形状に沿って、頭部の動きがフレームに伝わる形状であることが好ましい。
また、左後頭部又は右後頭部のいずれか一方を後ろ方向の任意の方向に倒し、後頭骨の下部押さえ部材に押し付けて、それにより左右の胸押さえ部材のいずれか一方の押さえる力を調整する場合、後頭骨の下部押さえ部には、左後頭部により押さえることができる形状と、右後頭部により押さえることができる形状を有することが好ましく、それらは左右対称であることが好ましく、特に、左後頭部と右後頭部の境界線上を中央線として左右対称であることが好ましい。
【００５６】
後頭骨の下部押さえ部材は、棒状部材、管状部材、板状部材、その他の形状の部材のいずれで作られたものであってもよく、これらの２つ以上を組み合わせて作られたものであってもよい。後頭骨の下部押さえ部材の材質は、背押さえ部材、頸跨ぎ部材の材質と同一であってもよいし、異なってもよい。後頭骨の下部押さえ部材の材質は、上記した背押さえ部材、頸跨ぎ部材の材質と同様な材質を用いることができる。
後頭骨の下部押さえ部材は、後頭部の下部に当たる部分と、それを支える支持部分から構成される。支持部分は、好ましくは、胸押さえ部材、背押え部材又は頸跨ぎ部材のいずれか又は２つ以上の部材に連結されて、本願発明のフレームに連結される。それ故、その支持部分は、後頭部押さえ部材又は後頭骨の下部の押さえ部材の、胸押さえ部材、背押え部材又は頸跨ぎ部材への連結部ともいう。
【００５７】
後頭骨の下部押さえ部材の後頭部の下部に当たる部分の形状は、後頭骨周辺に痛みを与えないために、丸みを帯びていることが好ましい。例えば、棒状部材を用いる場合は、後頭部の下部に当たる部分の形状は、長手方向に直角方向の断面形状が円形状、楕円形状、これらの円形状、楕円形状から各種扇形を切り取った形状、これらの円形状、楕円形状からその一部を切り取った弓形状などが挙げられる。また、管状部材を用いる場合は、後頭部の下部に当たる部分の形状は、長手方向に直角方向の断面形状が、円形、楕円形の輪の形状、円弧、楕円弧などの形状、これらの形状から一部を切り取った形状などが挙げられる。
【００５８】
後頭骨の下部押さえ部材により押さえる範囲は、後頭骨の下部の全域でなくてもよく、その一部を押さえればよく、後頭骨の下端の一部を押さえるものであってもよい。また、後頭骨の上部の全域又は一部を併せて押さえてもよい。
後頭骨の下部押さえ部材が左後頭部と右後頭部の境界線上またはその近傍に配置されている場合は、後頭骨の下部押さえ部材が後頭骨の下部を押し当てる範囲は、前記後頭骨の下部の最も出っ張っている部分（外後頭隆起）の左右両横の範囲が好ましく、前記後頭骨の下部の最も出っ張っている部分（外後頭隆起）から左右両横のそれぞれ６ｃｍ以内の範囲が好ましく、前記後頭骨の下部の最も出っ張っている部分（外後頭隆起）から左右両横のそれぞれ４ｃｍ以内の範囲が好ましい。後頭骨の下部押さえ部材の後頭部の下部に当たる部分の形状は、この範囲で押し当てることができるように適宜選定され、押し当てる後頭骨の下部の形状に合わせた形状にすることが好ましい。
【００５９】
後頭骨の下部押さえ部材の支持部分の形状は、後頭部の下部に当たる部分を後頭骨の下部の窪みに配置できる形状であればよく、種々の形状にすることができる。
後頭骨の下部押さえ部材の後頭部の下部に当たる部分を支える支持部分は、後頭骨の下部の後頭部中央の最も出っ張っている部分から下方向に、縦長の部材で構成されていることが好ましい。縦長とは、後頭骨の下部から第７頸椎への方向に長いという意味である。この縦長の部材は、下方向に直線状であってもよいし、曲線状であってもよく、折れ曲がったバネ構造などのバネ構造であってもよい。なお、バネ構造における縦長の部材の折れ曲げる数は、１個であってもよいし、２個以上でもよいが、コンパクトにするためには、少ない方が好ましい。バネ構造は、上記の折れ曲がったバネ構造の他、ラセン状のバネ構造、シリンダーなどのバネ構造などの種々のバネ構造であってもよい。
後頭骨の下部押さえ部材の支持部分がバネ構造である場合は、頭を後ろに反らして後頭骨の下部で押さえつけると、頭の重みで後頭骨の下部押さえ部材を下方に押し下げると、バネ構造が圧縮され、クッションの役割を果たすことができ、頭に負担を掛けずに本発明のフレームをしっかりと装着することができ、頭を安定して楽に支えることができ、長時間、頭を後ろに反らした状態でも楽に支えることができる。
【００６０】
後頭骨の下部押さえ部材における、支持部分が頸跨ぎ部材への連結部である場合には、後頭部を後ろ方向の任意の方向に倒すと後頭部が後頭骨の下部押さえ部に接触して後頭部が後頭骨の下部押さえ部材を後頭部から下半身方向に押さえることになり、後頭骨の下部押さえ部材は元に戻ろうとする反発力が働いて、頸跨ぎ部材を後頭部から下半身方向に押さえることができる形状を有することが好ましい。このような形状としては、後頭部から下半身方向に配置された略半円弧状の湾曲線形状、後頭部から下半身方向に配置された折り曲げ線形状などが挙げられる。
この連結部は、後頭骨の下部押さえ部材よりもより可撓性が大きいものが、頸跨ぎ部材を下半身方向により強く押さえることができるので好ましい。その可撓性を変えるには、部材を構成する材質、部材の大きさ、部材の厚み、部材の補強構造などの構造を変更することにより達成できる。
【００６１】
後頭骨の下部押さえ部材の支持部分の断面形状は、前記した後頭部の下部に当たる部分の断面形状と同様な形状にすることができ、後頭部の下部に当たる部分の断面形状と同一であってもよいし、異なってもよい。
後頭骨の下部押さえ部材の形状は、後頭部の下部に当たった場合に生じる押圧を緩和でき、痛みを生じることが少ない形状であることが好ましい。このような形状としては、好ましくは、上記バネ構造の形状の他に、後頭部の下部に当たる部分が山形が２つ並んだ形状や、後頭部の下部に当たる部分とその両端にそれぞれ支持部分の端部が連なり、その連なった両方の支持部分の他の端部同士が連なっているリングの形状であり、特に好ましくは、上記バネ構造の形状や、左右２つの前記リングが後頭骨の下部の後頭部中央の最も出っ張っている部分の縦方向の中心線上で、連結されないで配置されている形状や、又は連結している形状である。
このようなリングの形状になっていると、リングの上部にある後頭部の下部に当たる部分が後頭部の下部に押し当たると、リングが少し押しつぶされ、その押しつぶされた反動で、元のリングの形状に戻ろうとする下方向の反発力が発生し、リングの下部にある支持部分が連結している本発明のフレームを下方向に押し下げる力が加わるので、本発明のフレームが上方向にずれることを防止することができる。特に、リングが可撓性のある材質で作られている場合は、この効果がより一層発揮されるので、好ましい。
【００６２】
上記のようにリングが下方向に押しつぶされると、リングは横方向に広がるので、左右２つの前記リングが連結されないで配置されている場合は、リングが横方向に広がる幅の間隔を空けて左右２つの前記リングを離して配置することが好ましい。
後頭骨の下部押さえ部材の支持部分は、本発明のフレームに物品を保持させているときは、僧帽筋、好ましくは僧帽筋上部線維に軽く押し当てられるような形状であることが好ましい。これにより、物品の重量を後頭骨の下部押さえ部材にも分担させることができ、本発明のフレームをより一層長時間保持することができるようになる。
また、後頭骨の下部押さえ部材の形状は、後頭骨の下部の後頭部中央の最も出っ張っている部分の縦方向の中心線に対して左右対称形であることが好ましい。
【００６３】
後頭骨の下部押さえ部材は、胸押さえ部材、背押え部材又は頸跨ぎ部材のいずれか又は２つ以上の部材と一体成形されている場合は、改めて連結する必要はないが、別々に成形している場合は、これらの部材の連結は、一方に差し込み用突起を設け、その突起と嵌合する溝を他方に設けて、両者の部材を嵌合させることにより連結してもよいし、ネジなどの結合具を用いて連結してもよいし、接着剤で連結してもよいし、熱接着で連結してもよい。
胸押さえ部材又は上半身上部背面押さえ部材の胸又は上半身上部背面に当たる部分には、緩衝材を取り付けることが、胸又は上半身上部背面に生じる痛みを少なくすることができるので、好ましい。
緩衝材は、胸押さえ部材又は上半身上部背面押さえ部材の胸又は上半身上部背面に当たる部分にのみ取り付けてもよいが、筒状の緩衝材の筒の中に胸押さえ部材又は上半身上部背面押さえ部材を差し込んだ状態になるように配置し、緩衝材が胸押さえ部材又は上半身上部背面押さえ部材の全周囲を包み込むようにして、胸又は上半身上部背面に当たる部分に取り付けることが、取り付け用の接着剤などを必要とせず、緩衝材の着脱が簡単に行えるので好ましい。筒状の緩衝材は、胸押さえ部材又は上半身上部背面押さえ部材に装着する前に筒状の形状にしてもよいし、平面状の緩衝材を胸押さえ部材又は上半身上部背面押さえ部材に巻きつけた後にマジックテープ（登録商標）などの結合材により緩衝材を筒状の形状にしてもよい。
【００６４】
なお、筒状の緩衝材は、緩衝材は、胸押さえ部材又は上半身上部背面押さえ部材の胸又は上半身上部背面に当たる部分以外の他の箇所においても使用することができる。
また、後頭骨の下部押さえ部材の後頭骨の下部を押し当てる部分にも、緩衝材を取り付けることが、後頭骨の下部に生じる痛みを少なくすることができるので、好ましい。
緩衝材としては、軟質スポンジ、軟質発泡体、軟質ゴムなどの柔らかい材質の部材が挙げられる。
胸押さえ部材又は上半身上部背面押さえ部材の胸又は上半身上部背面に当たる部分には、胸又は上半身上部背面に生じる痛みを少なくすることができる他の押さえ治具を取り付けることが好ましい。このような他の押さえ治具としては、伸縮性のあるネット（網）などが挙げられる。
【００６５】
本発明の物品保持用頸跨ぎ装着フレームは、種々の物品を保持することができる。本発明の物品保持用頸跨ぎ装着フレームに、種々の物品を保持させて、簡易に物品を上半身に保持させる方法を提供することができる。
本発明のフレームに物品を保持させると、物品の重量の圧力により胸押さえ部材と背押さえ部材の挟みつける力が増加し、本発明のフレームをより安定して装着することができる。
本発明のフレームで保持する物品の具体例としては、例えば、バッグや、携帯ラジオ、モバイルオーディオなどの携帯音響機器や、携帯電話、スマートフォンなどの携帯通信機器や、カメラ等の映像機器、リモコン操作機、蓄電池、その他、保冷剤、帽子、三角巾、本発明のフレームを装着した人の頭等が挙げられる。
【００６６】
また、保持する物品としては、比較的重量の軽量であるものが好ましく、具体的には、７ｋｇ以下の重量のものが好ましく、３ｋｇ以下の重量のものがより好ましく、１ｋｇ以下の重量のものがより一層好ましく、５００ｇ以下の重量のものがさらに好ましく、３００ｇ以下の重量のものが特に好ましい。
なお、本発明のフレームには、物品の種類に応じた物品保持用部材を取り付けることが好ましい。
【００６７】
例えば、バッグを保持させる場合は、頸跨ぎ部材や、後頭骨の下部押さえ部材の形状を背中の高い位置の首周りに近い場所にバッグのスペースを設けるような形状にして、頸跨ぎ部材の上部、又は後頭骨の下部押さえ部材にバッグ取付用具などによりバッグを取り付けることが好ましい。取り付けるバッグは小物類を入れることができる小さいものが好ましい。小さいバッグは、そのバッグを取り付けたフレームを装着したまま電車の座席に全く支障なく座ることができ、また、小さいバッグを取り付けたフレームを装着したまま自動車の運転を全く支障なくすることができる。さらに、小さいバッグを取り付けたフレームを装着したまま、歩行、ランニングなどの動きのある行動をしても、背中や腰周りに纏わりつかないので、長時間そう快に装着することができる。
携帯ラジオ、モバイルオーディオなどの携帯音響機器を保持させる場合は、その音響機器のスピーカーが耳に近い位置になるように、頸跨ぎ部材の上部、又は後頭骨の下部押さえ部材に音響機器取付用具などにより音響機器を取り付けることが好ましい。イヤホーンを使用するまでもなく、音響機器からの情報を得ることができるので、イヤホーンの使用が適さない場面で、長時間そう快に装着することができる。
【００６８】
携帯電話、スマートフォンなどの携帯通信機器を保持させる場合は、本発明のフレームのいずれの部材にも取り付けることができるが、胸押さえ部材又は頸跨ぎ部材、或いは後頭骨の下部押さえ部材に、目で携帯通信機器のディスプレイの情報が見える位置になるように携帯通信機器取付具により携帯通信機器を取り付けることが好ましい。より好ましい具体例としては、胸押さえ部材の先端又は頸跨ぎ部材若しくは後頭骨の下部押さえ部材の胸側部分に、携帯通信機器の支持具（例えば、支持棒）を取り付け、その支持具の先端に携帯通信機器を取り付けたものが挙げられる。後者の場合、目の近くの見やすい位置にコンパクトに取り付けることができるので、特に好ましい。携帯通信機の画面の配置位置は、目の正面の視界を妨げずに、横目で見ることができる位置が好ましい。例えば、目の高さとほぼ同一の高さ又はその周辺（具体的には、好ましくは±１０ｃｍ以内の範囲）に配置する場合は、顔の正面には配置せず、顔の外側に配置されるように取り付けることが目の正面の視界を妨げることがないことや、目の正面を見ながら携帯通信機の画面も見ることができるので好ましい。携帯通信機の画面を顔の下に配置する場合は、目の正面の視界を妨げることがないので、好ましい。携帯通信機器の支持具の携帯通信機器を取り付ける部分には、携帯通信機器を差し込んで取り付けるケースなどを設けることが好ましい。
【００６９】
この本発明のフレームを装着する場合、携帯通信機の重みで本発明のフレームは、より強く胸及び背を押さえることができるので、より安定して固定することができる。
携帯通信機器の支持棒は、目で携帯通信機器のディスプレイの情報が見える位置になるような形状にすればよく、また、携帯通信機器の支持棒は、折り畳み可能であるものが好ましく、携帯通信機器を使用しない場合には、折り畳んで、携帯通信機器を胸に近い位置に配置することが好ましい。
携帯通信機器の支持棒は、本発明のフレームの頸跨ぎ部材、胸押さえ部材、背押さえ部材と同様な素材で作ることができるが、その一部に力を加えることによりその形状が自由に変形できるようなフレキシブルなアームを取り付けているものが好ましい。携帯通信機器の支持棒を胸押さえ部材に連結させるには、例えば、携帯通信機器の支持棒に先端部が大きくなっているレール状の突起を長手方向に設け、そのレール状の突起と嵌合することができるレール状の溝を胸押さえ部材の長手方向に設け、携帯通信機器の支持棒をスライドさせながら、携帯通信機器の支持棒のレール状の突起を胸押さえ部材のレール状の溝に嵌合することにより連結する方法や、その逆に、胸押さえ部材に先端部が大きくなっているレール状の突起を設け、そのレール状の突起と嵌合することができるレール状の溝を携帯通信機器の支持棒の長手方向に設け、前記と同様にスライドさせながら連結する方法や、接着剤で連結する方法などがある。
【００７０】
また、物品として、リモコン操作機を保持させる場合は、胸押さえ部材に、リモコン操作機取り付け具を取り付けることが好ましい。リモコン操作機取り付け具へのリモコン操作機の取り付けは、リモコン操作機を目で見ることができるように取り付けることが好ましい。なお、リモコン操作機としては、例えば、ドローンのリモコン操作機などが挙げられる。
また、物品として、蓄電池を保持させる場合は、背押さえ部材、頸跨ぎ部材、後頸部押さえ部材の何れかに、蓄電池取り付け具を取り付けることが好ましい。蓄電池を保持させることにより、電気が必要な機器を保持させる場合に、電気切れを心配することが少なくなり、長時間電気が必要な機器を保持することができる。
また、物品として保冷剤を保持させる場合は、背押さえ部材、頸跨ぎ部材、後頭部押さえ部材、後頸部押さえ部材、後頭骨の下部押さえ部材のいずれかに、保冷剤取り付け具を取り付けることが好ましい。
さらに、三角巾を保持させる場合は、胸側の頸跨ぎ部材、胸押さえ部材などに取り付けることが好ましい。この三角巾は、腕のギプスを吊り下げるために用いるものである。従来は首の後ろに掛けることでギプスの付いた腕を吊り支えていたが、首周りに掛かる負担が大きく、疲労が大きかった。
【００７１】
しかし、本発明によれば、フレーム全体でギプスの付いた腕を吊り支えるため、首周りに掛かる負担が少なくなり、疲労が少なくすることができる。
また、物品として本発明のフレームを装着した人の頭を保持させる場合は、後頭部押さえ部材、後頭骨の下部押さえ部材により人の頭を保持することができる。後頭骨の下部押さえ部材により人の頭を保持する場合は、後頭骨の下部押さえ部材に、ある程度の広さを有する後頭部受け具を取り付けることが好ましい。後頭部受け具が後頭部に当たる面は、後頭部の形状に合わせた形状にすることが好ましい。なお、本発明のフレームを装着した人の頭を長時間保持させる場合は、痛みや衝撃を和らげるために、スポンジやゴムなどの緩衝材を入れることが好ましい。
【００７２】
本発明の物品保持用頸跨ぎ装着フレームの装着方法としては、上半身上部背面押さえ部材を上半身上部背面の位置に、また、胸押さえ部材を胸の位置に装着する方法であれば、どのような装着方法でもよいが、上半身上部背面押さえ部材と胸押さえ部材の間隔を、人の手の力により押し広げてその間隔を広くして、頸の上から上半身上部背面押さえ部材を上半身上部背面の位置に、また、胸押さえ部材を胸の位置に装着する方法などが挙げられる。特に好ましい装着方法としては、上半身上部背面押さえ部材を上半身上部背面に押し当てて、胸押さえ部材または頸跨ぎ部材の胸側の先端近くを人の手で持って、押さえ部材と胸押さえ部材の間隔を、人の手の力により押し広げてその間隔を広くして、胸押さえ部材を胸の位置に配置し、フレーム全体を引き下ろして、頸の上から上半身上部背面押さえ部材を望ましい上半身上部背面の位置に、また、胸押さえ部材を望ましい胸の位置に装着する方法などが挙げられる。
【実施例】
【００７３】
次に、本発明の実施例を図面に基づいて説明する。
図１には、本発明の物品保持用頸跨ぎ装着フレームの一例の斜視図が記載されている。
図１において、本発明の物品保持用頸跨ぎ装着フレームＡは、胸押さえ部材４が頸跨ぎ部材１の胸側に連結され、背押さえ部材５が頸跨ぎ部材２の背側に連結され、さらに、後頭骨の下部押さえ部材６が頸跨ぎ部材１の上部に連結されている。胸側の頸跨ぎ部材１と背側の頸跨ぎ部材２は、重ねられて頸跨ぎ部材３を形成している。
なお、本発明の物品保持用頸跨ぎ装着フレームＡは、後頭骨の下部押さえ部材６は、必須ではないが、本発明の物品保持用頸跨ぎ装着フレームＡの上部方向へのずれを防ぐことができるので、あった方が好ましい。
【００７４】
本発明の物品保持用頸跨ぎ装着フレームＡは、胸側の頸跨ぎ部材１、胸押さえ部材４、後頭骨の下部押さえ部材６が、ポリオキシメチレン（ＰＯＭ）樹脂又はシリコーン樹脂等の可撓性樹脂により一体成形された成形物と、また、背側の頸跨ぎ部材２、背押さえ部材５が、ポリオキシメチレン（ＰＯＭ）樹脂又はシリコーン樹脂等の可撓性樹脂により一体成形された成形物とを、別々に成形し、それらの成形物の胸側の頸跨ぎ部材１と、背側の頸跨ぎ部材２とを、装着したときに頸の上方位置で連結されるように重ね合わせて、図示していない締め付け具、又は熱接着若しくは接着剤などで連結して一体にしたものである。
胸側の頸跨ぎ部材１と、背側の頸跨ぎ部材２との重ね合わせは、図示していないが、胸側の頸跨ぎ部材１の重ね合わせ面には、胸側から背側の方向の長手方向に、先端が大きくなっているレール状の突起が設けられており、一方、背側の頸跨ぎ部材２の重ね合わせ面には、胸側から背側の方向の長手方向に、先端が大きくなっているレール状の突起を嵌合できる溝が設けられており、それぞれの胸側の頸跨ぎ部材１及び／又は背側の頸跨ぎ部材２をスライドさせて重ね合わされている。このような構造にすることにより、胸側の頸跨ぎ部材１と、背側の頸跨ぎ部材２は、胸側から背側の方向の長手方向にはずらせることができるが、胸側から背側の方向の長手方向に直角の方向にはずらさせることができない。
なお、胸側の頸跨ぎ部材１、背側の頸跨ぎ部材２、胸押さえ部材４、背押さえ部材５、後頭骨の下部押さえ部材６は、ポリオキシメチレン（ＰＯＭ）樹脂又はシリコーン樹脂等の可撓性樹脂により一体成形したものであってもよい。
【００７５】
また、人の手の力を与えない状態での胸押さえ部材４の押さえ部と背押さえ部材５の押さえ部との水平方向の間隔は、人体が起立状態である場合の背表面の垂直線と胸表面の垂直線の間隔（所謂、胸板厚み）よりも３ｃｍ短い間隔になっており、本発明のフレームが可撓性を有しているので、手の力を加えて胸押さえ部材４の押さえ部と背押さえ部材５の押さえ部との水平方向の間隔を広げても、広げる力を除去すると、元の間隔に戻る。
このため、左右の胸押さえ部材４を両手で持って、首の横を通して、背押さえ部材５を背に当てて、左右の胸押さえ部材４に手の力を付与して、胸押さえ部材４の押さえ部と背押さえ部材５の押さえ部との水平方向の間隔を広げると、元の位置に戻ろうとする反発力が働いて、背押さえ部材５で背を強く押さえることができ、広げる力を除去すると、胸押さえ部材４が胸に接して、人の手の力を与えない状態での胸押さえ部材４の押さえ部と背押さえ部材５の押さえ部との水平方向の間隔よりも、人体が起立状態である場合の背表面の垂直線と胸表面の垂直線の間隔よりも３ｃｍ短い間隔であるので、胸押さえ部材４により胸を強く押さえることができる。
【００７６】
頸跨ぎ部材の頸を跨ぐ位置は、首の付け根を起点として首の付け根から肩の手前までの水平方向の長さの好ましくは１／２以内の首に近い範囲である。
胸押さえ部材４に連結されている胸側の頸跨ぎ部材１と背押さえ部材５に連結されている背側の頸跨ぎ部材２は重ねられて頸跨ぎ部材３を構成しており、左右の２本の頸跨ぎ部材の間隔は１６２ｍｍである。
胸側の頸跨ぎ部材１は、長さが７０ｍｍ、幅が１０ｍｍ、厚みが５ｍｍである。背側の頸跨ぎ部材２は、長さが６５ｍｍ、幅が１０ｍｍ、厚みが５ｍｍである。
また、胸押さえ部材４は、それぞれ鎖骨から下方向の胸に面している部分は幅が２０ｍｍ、厚みが５ｍｍであり、その先端は横幅が４０ｍｍ、縦の長さが３０ｍｍの歪な略楕円形状をしており、その厚みは５ｍｍであり、２本の左右の胸押さえ部材４が、胸骨を挟んで左右対称に配置されており、２本の左右の胸押さえ部材４の間隔は１５０ｍｍである。この胸押さえ部材４が胸に対向している面は、全て胸を押し付けている必要はなく、本発明のフレームを安定して装着できれば、押さえ付けていない部分があってもよい。また、可撓性を有する胸押さえ部材４の先端部は最も強く胸を押さえつけることができるので、胸押さえ部材４の先端部が大きなっていることにより、強く押さえつけることができ、また、胸押さえ部材４の先端部が丸みを持っているので、胸に優しく当たることができる。この胸押さえ部材４の先端部は、第三肋骨を押さえつける位置に配置することが好ましい。
なお、胸押さえ部材４の押さえ部と背押さえ部材５の押さえ部には、ウレタン発泡体などの緩衝材から作られた筒状の緩衝材を覆うことが好ましい。
【００７７】
また、背押さえ部材５は、略Ｙ字形状をしており、背骨に対面する縦長の部分の縦の長さは１１６ｍｍ、厚みは３ｍｍである。
胸側の頸跨ぎ部材１に連結されている後頭骨の下部押さえ部材６は、後頭部の下部に当たる部分と支持部分が連なっている左右２つのリングが後頭骨の下部の後頭部中央の最も出っ張っている部分の縦方向の中心線上で、連結されないで左右対称形に配置されている。このリングは、後頭骨の下部に押し当てられても痛みが生じないように、断面形状が外径７ｍｍ、内径３ｍｍの円筒形である丸みを帯びた棒状部材から作られており、上方に位置する後頭骨の下部に押し当てられる部分から下方に位置する縦方向の支持部分の縦方向の長さが５７ｍｍであり、この縦方向の支持部分に連なる横方向の支持部分の横方向の長さが８０ｍｍであるリングである。後頭骨の下部に押し当てられる部分から縦方向の支持部分への連結部や、縦方向の支持部分から横方向の支持部分への連結部は、円弧状に丸みを帯びている。このため、左右２つのリングが後頭骨の下部の後頭部中央の最も出っ張っている部分（外後頭隆起）には当たらない形状になっている。
【００７８】
一方、左右２つのリングは、それぞれ左右２つの頸跨ぎ部材３に連結されており、具体的には、リングの上方に位置する後頭骨の下部に押し当てられる部分に耳の近くで連なっている支持部分は、リングの下方に位置する横方向の支持部分に、頸跨ぎ部材３の上で重ね合わされて、頸跨ぎ部材３の上に連結されている。
リングの上部にある後頭部の下部に当たる部分が後頭部の下部に押し当たると、リングが少し押しつぶされ、その押しつぶされた反動で、元のリングの形状に戻ろうとする下方向の反発力が発生し、リングの下部にある支持部分が連結している本発明のフレームを下方向に押し下げる力が加わるので、本発明のフレームが上方向にずれることを防止することができる。
なお、左右２つの前記リングは、リングが下方向に押しつぶされるとき、リングが横方向に広がる幅の間隔を空けて離して配置されている。
図１には、後頭骨の下部押さえ部材６が設けられているが、無くてもよい。
図２には、本発明の物品保持用頸跨ぎ装着フレームの一例を上方から見た図が記載されている。
図３には、本発明の物品保持用頸跨ぎ装着フレームの一例を背側から見た図が記載されている。
図４には、本発明の物品保持用頸跨ぎ装着フレームの一例を人体の頸に装着した状態の背側からの斜視図が記載されている。
【００７９】
これらの図から分かるように、本発明の物品保持用頸跨ぎ装着フレームＡの装着は、両手で左右の胸押さえ部材４を持ち上げて、本発明のフレームを頭を超えて背側に持って行き、肘を深く曲げて背押さえ部材５を背の位置に押し当て、次に、両手で持っている左右の胸押さえ部材４を首の両横の頸の上を通しながら、人の手の力により下方向に引張り、胸方向に背押さえ部材５と胸押さえ部材６の間隔を押し広げて、胸押さえ部材４を胸の位置に装着される。このとき、図示したように胸押さえ部材４の先端部が大きくなっており、幅方向に広くなっていると、胸押さえ部材４を人の手で持つとき、親指や人差し指などの指で引っ掛け易いので、人の手の力により下方向に引張り易くなるので好ましい。指で引っ掛け易くするには、胸押さえ部材４の先端部を幅方向に広くする長さは、親指や人差し指などの指が引っ掛かる長さが必要であり、５ｍｍ以上が好ましく、８ｍｍ以上がより好ましい。なお、軽量化のためには、胸押さえ部材４の先端部を幅方向に広くする長さは短い方が好ましく、２０ｍｍ以下が好ましく、１５ｍｍ以下がより好ましい。
装着された本発明のフレームの胸押さえ部材４は、鎖骨と第三肋骨をしっかり押さえつけており、本発明のフレームは、安定して装着されている。
【００８０】
図５には、図１及び図４に示した後頭骨の下部押さえ部材の別の態様を示した本発明の物品保持用頸跨ぎ装着フレームの一例を人体の頸に装着した状態の背側からの斜視図が記載されている。
この後頭骨の下部押さえ部材の態様は、図１及び図４のリングではなく、後頭部の下部に押し当てられる部分の両端に、縦長部材が折り曲げられたバネ構造の支持部分がそれぞれ連結した構造であり、後頭部を反らして後頭骨の下部押さえ部材を押さえると、左右対称の略Ｖ字状に折り曲げられた突起の左側の斜線部分と右側の斜線部分によって後頭部が支えられ、バネ構造の支持部分がバネでクッションの役割を果たし、楽に後頭部を支えることができる。この状態で、長時間後頭部を支えても、痛みを殆んど感じることなく、楽に後頭部を支えることができる。
後頭骨の下部押さえ部材６の後頭部が接触する部分の左後頭部と右後頭部の境界線上には、その境界線上を中央線とした左右対称の略Ｖ字状に折り曲げられた後向き、下向き又はその間の任意の角度の方向の突起が後頭骨の下部の後頭部中央の最も出っ張っている部分（外後頭隆起）には当たらないように設けられており、背側から見て左側の斜線部分に左後頭部を押し当てて下向きに押すと、左側のジグザグ折曲げ線形状のバネ構造のみが押さえられ、そのバネ構造は元に戻ろうとする反発力が働いて、左側の頸跨ぎ部材３を後頭部から下半身方向に押さえることができる。一方、略Ｖ字状に折り曲げられた後向きの突起の、背側から見て右側の斜線部分に右後頭部を押し当てて下向きに押すと、右側のジグザグ折り曲げ線形状のバネ構造のみが押さえられ、そのバネ構造は元に戻ろうとする反発力が働いて、右側の頸跨ぎ部材を後頭部から下半身方向に押さえることができる。これにより、左右の胸押さえ部材４の押さえる力を調整することができる。
なお、略Ｖ字状の突起の斜線部分は、後頭部の形状に合わせた曲線形状にしてもよい。
図５の後頭骨の下部押さえ部材の材質などは、図１及び図４に示した後頭骨下部の材質などと同様である。
【００８１】
図６には、図１、図４及び図５に示した後頭骨の下部押さえ部材の別の態様を示した本発明の物品保持用頸跨ぎ装着フレームの一例を人体の頸に装着した状態の背側からの斜視図が記載されている。
この後頭骨の下部押さえ部材の態様は、図１及び図４のリングではなく、図５に似ているが、図５における支持部分が縦長部材が背側で折り曲げられたバネ構造であるのに対して、図６の支持部分は、頸跨ぎ部材への連結箇所の手前の胸側で、後頭部から下半身方向に配置された略半円弧状の湾曲線形状のバネ構造になっている。
後頭部を後ろ方向の任意の方向に倒すと後頭部が後頭骨の下部押さえ部材６に接触して後頭部が後頭骨の下部押さえ部材６を後頭部から下半身方向に押さえることになり、略半円弧状の湾曲線形状のバネ構造の後頭骨の下部押さえ部材は元に戻ろうとする反発力が働いて、頸跨ぎ部材３を後頭部から下半身方向に押さえることができる。これにより、胸押さえ部材４を強く胸に押さえつけることができる。なお、後頭骨の下部押さえ部材６の後頭骨の下部押さえ部と頸跨ぎ部材への連結部に有する略半円弧状の湾曲線形状のバネ構造は、より可撓性を大きくすることにより、より一層頸跨ぎ部材３を後頭部から下半身方向に押さえることができる。これにより、胸押さえ部材４を強く胸に押さえつけることができる。その可撓性を変えるには、部材を構成する材質、部材の大きさ、部材の厚み、部材の補強材などの構造を変更することにより達成される。
後頭骨の下部押さえ部材６の後頭骨の下部押さえ部と頸跨ぎ部材への連結部に有する略半円弧状の湾曲線形状のバネ構造の可撓性が異なる場合、別々に製造した両者を連結するには、種々の連結方法があるが、例えば、両者の筒状のパイプ材の内側にねじ切りして両者を１本のネジの両端をそれぞれネジ穴に差し込んで連結する方法、両者の筒状のパイプ材の内側に１本のピン棒の両端をそれぞれパイプ穴に差し込んで連結する方法、例えば、両者のパイプの内径が異なる場合に左側と右側で外径が異なる差し込み用ピン棒をそれぞれパイプ穴に差し込みしっかり固定するなどにより連結することができる。
また、後頭部を反らして後頭骨の下部押さえ部材６を押さえると、略半円弧状の湾曲線形状のバネ構造の支持部分がバネでクッションの役割を果たし、楽に後頭部を支えることができる。この状態で、長時間後頭部を支えても、痛みを殆んど感じることなく、楽に後頭部を支えることができる。
【００８２】
後頭骨の下部押さえ部材６の後頭部が接触する部分の左後頭部と右後頭部の境界線上には、その境界線上を中央線とした左右対称の略逆Ｖ字状に折り曲げられた上向きの突起が後頭骨の下部の後頭部中央の最も出っ張っている部分（外後頭隆起）には当たらないように設けられており、背側から見て右側の斜線部分に左後頭部を押し当てて下向きに押すと、左側の略半円弧状の湾曲線形状のバネ構造のみが押さえられ、そのバネ構造は元に戻ろうとする反発力が働いて、左側の頸跨ぎ部材３を後頭部から下半身方向に押さえることができる。一方、略逆Ｖ字状に折り曲げられた上向きの突起の、背側から見て左側の斜線部分に右後頭部を押し当てて下向きに押すと、右側の略半円弧状の湾曲線形状のバネ構造のみが押さえられ、そのバネ構造は元に戻ろうとする反発力が働いて、右側の頸跨ぎ部材を後頭部から下半身方向に押さえることができる。これにより、左右の胸押さえ部材４の押さえる力を調整することができる。
この後頭骨の下部押さえ部材６の後頭部が接触する部分は、断面が円形の筒状部材（パイプ材）で構成されており、内部が空洞になっているので、軽量化を図ることができ、前記略逆Ｖ字状の上向きの突起は先端部が丸みを帯びており、後頭骨の下部に接触しても痛みを感じ難くなっている。後頭骨の下部押さえ部材６は、頸跨ぎ部材３への連結方法は、加圧熱接着によりパイプ材をつぶした状態で接合する方法が好ましいが、接着剤や差し込み具などの他の接合方法により行ってもよい。
また、前記略逆Ｖ字状の上向きの突起の先端は、略逆Ｕ字状になっていてもよい。なお、上向きの突起は、図６では後頭骨の上部方向に配置されているが、後頭骨に向かって水平方向に任意の角度で配置されていてもよい。この場合、突起の先端は、後頭骨の下部が接触しても痛みを感じ難い形状であることが必要であり、例えば略逆Ｕ字状や、略Ｕ字状の丸みを帯びた形状であることが好ましい。
図６の後頭骨の下部押さえ部材６の材質などは、図１及び図４に示した後頭骨下部の材質などと同様である。
【００８３】
図６の後頭骨の下部押さえ部材６の後頭骨の下部押さえ部と頸跨ぎ部材への連結部に有する略半円弧状の湾曲線形状のバネ構造又はその周辺、或いは頸跨ぎ部材に、スマートフォンなどの携帯通信機器を保持させることが、コンパクトに携帯通信機器を取り付けることができ、そのディスプレイが見やすいし、また、胸押さえ部材をより強く胸に押し付けることができるので、好ましい。
図７には、本発明の物品保持用頸跨ぎ装着フレームの胸板厚幅調整具の一例としてのクリップで締め付けるときの締め付け部の斜視図が記載されている。なお、図７には、胸押さえ部材４が連結されている胸側の頸跨ぎ部材１は、左側のみ記載されており、右側のそれらについては省略している。
胸側の頸跨ぎ部材１と背側の頸跨ぎ部材２は重ねられ、その周りを締め付け具８としてステンレス製のクリップで挟み、一対の円盤状の指摘み部（指押さえ部）を指で押さえつけると、クリップの挟み付ける力が弱くなり、胸側の頸跨ぎ部材１と背側の頸跨ぎ部材をずらせることができ、幅調整をすることができ、適当な幅に調整した後は、クリップの指摘み部（指押さえ部）から指を離すと、胸側の頸跨ぎ部材１と背側の頸跨ぎ部材２が固定され、ずれなくなる。
【００８４】
図８には、図７と同様のクリップが胸側の頸跨ぎ部材１と背側の頸跨ぎ部材２を挟み付けたときの断面図を示しており、クリップバンド９が頸跨ぎ部材１と頸跨ぎ部材２を挟み付け、一対の円盤状の指摘み部（指押さえ部）１０を２つの指でそれぞれ内側に押さえつけると、クリップバンド９の上下間隔が広がり、クリップバンドの内側空間が広がり、締め付け力が弱くなり、頸跨ぎ部材１と頸跨ぎ部材２を前後方向にずらせ、幅調整をすることができる。幅調整をした後は、指摘み部（指押さえ部）１０から指を離すと、クリップバンド９の締め付け力が大きくなり、胸側の頸跨ぎ部材１と背側の組跨ぎ部材２が固定され、ずれなくなる。
締め付けバンド９は、幅が１０ｍｍのステンレス鋼のバンドであり、その締め付けバンドに連結されている指摘み部１０もステンレス鋼の板で構成されている。
【００８５】
図９には、本発明の物品保持用頸跨ぎ装着フレームの胸板厚幅調整具の一例としてのレバーロックで締め付けるときの締め付け部の断面図が記載されている。
胸側の頸跨ぎ部材１と背側の頸跨ぎ部材２は重ねられ、その周りを締め付けベルト１１で巻き、締め付けベルト１１の両端をレバーロックに内側から引き込み、レバーを動かして締め付けベルト１１を外側に少しずつ送り出して、重ねられた胸側の頸跨ぎ部材１と背側の頸跨ぎ部材２を締め付けることができる。
なお、図９には図示していないが、重ねられた胸側の頸跨ぎ部材１と背側の頸跨ぎ部材２に、ゴムシートなどの緩衝材を巻き、その上を締め付けベルトで巻くことが好ましい。
【００８６】
図１０には、本発明の物品保持用頸跨ぎ装着フレームの一例に物品としてスマートフォンを保持させた状態の斜視図が記載されている。
胸押さえ部材４の先端に、スマートフォン側にフレキシブルアームを有するスマートフォンの支持棒１０を取り付け、その支持棒のフレキシブルアームの先端にスマートフォン１１が取り付けられている。スマートフォンの支持棒１０は、フレキシブルアーム以外は、本発明のフレームの頸跨ぎ部材３、胸押さえ部材４、背押さえ部材５と同様に、ポリオキシメチレン（ＰＯＭ）樹脂又はシリコーン樹脂等の可撓性樹脂で作られている。スマートフォンの支持棒１０は胸押さえ部材４に連結されているが、この連結は、スマートフォンの支持棒に先端部が大きくなっているレール状の突起を長手方向に設け、そのレール状の突起と嵌合することができるレール状の溝を胸押さえ部材の長手方向に設け、スマートフォンの支持棒をスライドさせながら、スマートフォンの支持棒のレール状の突起を胸押さえ部材のレール状の溝に嵌合することにより連結されている。
【００８７】
この本発明のフレームには、胸押さえ部材４や、背押さえ部材５には、軽量化のために、可撓性や強度を損なわない範囲内で、穴１２があけられている。
図１１は、図１０の物品保持用頸跨ぎ装着フレームを頸に取り付けようとしている状態を示す側面図である。
胸押さえ部材４を首の横を通して胸側に持っていき、背押さえ部材５を背に押し当てながら、胸押さえ部材４を胸の前方に手で引張り、背押さえ部材５と胸押さえ部材４の間隔は、手の力で押し広げられて、大きくなっており、その状態で、頸から下の方向に下げることにより、本発明の物品保持用頸跨ぎ装着フレームを装着することができる。
本発明のフレームを装着すると、スマートフォン１１の重みで本発明のフレームは、より強く胸及び背を押さえることができるので、より安定して固定することができる。
後頭骨の下部押さえ部材６の支持部分は、本発明のフレームにスマートフォン１１を保持させているときは、僧帽筋に軽く押し当てられるような形状になっているので、スマートフォン１１の重量を後頭骨の下部押さえ部材６にも分散させることができ、本発明のフレームを長時間保持することができるようになる。
【００８８】
図１２は、図１の物品保持用頸跨ぎ装着フレームの胸押さえ部材に、頸跨ぎ部材３（胸側の頸跨ぎ部材１と背側の頸跨ぎ部材２が重ねられたもの）と後頭部押さえ部材１６を連結し、さらに、頸跨ぎ部材３に肩甲上部区域押さえ部材１７を連結した物品保持用頸跨ぎ装着フレームを装着した状態の側面図であり、図１３は、その装着した状態を斜め後ろから見た斜視図である。
図１２及び図１３において、後頭部押さえ部材１６は背側の頸跨ぎ部材２に連結されており、また、胸押さえ部材４は胸側の頸跨ぎ部材１に連結されており、胸側の頸跨ぎ部材１と背側の頸跨ぎ部材２が重ねられている。
なお、図示されていないが、重ねられている胸側の頸跨ぎ部材１と背側の頸跨ぎ部材２は、図７、図８及び図９に示す締め付け具により、締め付けられており、胸板厚幅の調整を行うことができる。
頸跨ぎ部材１と背側の頸跨ぎ部材２からなる頸跨ぎ部材は、鎖骨から僧帽筋の頂部を超えて３ｃｍの位置まで配置されており、その先端は、後頭部押さえ部材１６に連結されている。
【００８９】
後頭部押さえ部材１６の側面は、後頭部及び後頸部の表面形状と同様な形状になっており、後頭部押さえ部材１６の背面は、略Ω字の形状のリングになっている。
このリングは、後頭部に押し当てられても痛みが生じないように、断面形状が直径７ｍｍの円形である丸みを帯びた棒状部材から作られており、リングの頂点から背側の頸跨ぎ部材２の連結点までの縦方向の長さが１６０ｍｍであり、リングの横方向の長さが８０ｍｍであるリングである。
また、人の手の力を与えない状態での胸押さえ部材４の押さえ部と後頭部押さえ部材１６の押さえ部との水平方向の間隔は、人体が起立状態である場合の後頭部表面の垂直線と胸表面の垂直線の間隔よりも３ｃｍ短い間隔になっている。
【００９０】
後頭部押さえ部材１６、背側の頸跨ぎ部材２は、ポリオキシメチレン（ＰＯＭ）樹脂又はシリコーン樹脂等の可撓性樹脂により一体成形された成形物であり、胸押さえ部材４、胸側の頸跨ぎ部材１は、ポリオキシメチレン（ＰＯＭ）樹脂又はシリコーン樹脂等の可撓性樹脂により一体成形された成形物であり、いずれも可撓性部材である。このため、後部押さえ部材１６を後頭部から後ろ方向に後頭部で倒すと、元に戻ろうとする反発力が働いて、胸押さえ部材４で強く押さえることができ、引き離す力を除去すると、後頭部押さえ部材１６により後頭部を押さえることができる。このような後頭部押さえ部材１６を用いることにより、後頭部を適切な位置に保持することができる補助具として、優れた効果を発揮することができる。
なお、図示していないが、後頭部押さえ部材１６の後頭部に当たる面には、クッション性を増すために、軟質スポンジや軟質ゴムなどの軟質弾性体などの緩衝材を挟んでもよい。
【００９１】
また、図１２及び図１３において、肩甲上部区域押さえ部材１７は背側の頸跨ぎ部材２に連結されており、肩甲上部区域押さえ部材１７は、肩甲上部区域の表面形状と同様な形状になっており、横長の平板の形状になっている。
この肩甲上部区域押さえ部材１７は、縦の幅が５０ｍｍ、横の長さが１５０ｍｍ、厚さが３ｍｍである。
また、人の手の力を与えない状態での胸押さえ部材４の押さえ部と肩甲上部区域押さえ部材１７の押さえ部との水平方向の間隔は、人体が起立状態である場合の肩甲上部区域表面の垂直線と胸表面の垂直線の間隔よりも３ｃｍ短い間隔になっている。
このため、左右の胸押さえ部材４を両手で持って、首の横を通して、肩甲上部区域押さえ部材１７を肩甲上部区域に当てて、左右の胸押さえ部材４に手の力を付与して、胸押さえ部材４の押さえ部と肩甲上部区域押さえ部材１７の押さえ部との水平方向の間隔を広げると、元に戻ろうとする反発力が働いて、肩甲上部区域押さえ部材１７で背を強く押さえることができ、広げる力を除去すると、胸押さえ部材４により胸を押さえることができる。
なお、この肩甲上部区域押さえ部材は、取り除いた場合であっても、後頭部押さえ部材１６、胸押さえ部材４により、本発明の物品保持用頸跨ぎ装着フレームをしっかり固定して、装着することができる。
【００９２】
図１４は、後頭部押さえ部材１６に、シリコーンゴムなどの伸縮性のある素材により作られた網１８を張った一例を示したものである。
この後頭部押さえ部材１６は、図１２の後頭部押さえ部材よりは少し大きめに作られており、後頭部を直接押さえてもよいし、網に後頭部を直接押さえさせて、網に後頭部を押さえさせる力を与える役割をしてもよい。つまり、網１８を介して後頭部押さえ部材１６が後頭部を押さえつけてもよい。
網が張られた後頭部押さえ部材１６は、接続部１９で網が張られた部分のみを着脱自在に取り替えることができ、大きさや形状の異なる後頭部押さえ部材１６と取り替えたり、網の材質や張り方の異なる後頭部押さえ部材１６と取り替えることができる。
接続部１９での連結方法は、種々の方法が可能であり、例えば、接続部１９での切り離される網が張られた部分に突起又は空洞を設け、接続部１９で連結する他の部分に、前記突起が差し込まれる空洞を設けるか又は前記空洞に差し込まれる突起を設ける方法が挙げられる。
【図面の簡単な説明】
【００９３】
【図１】本発明の物品保持用頸跨ぎ装着フレームの一例の斜視図である。
【図２】本発明の物品保持用頸跨ぎ装着フレームの一例の上面図である。
【図３】本発明の物品保持用頸跨ぎ装着フレームの一例の背面図である。
【図４】本発明の物品保持用頸跨ぎ装着フレームの一例を人体の頸に装着した状態の背側からの斜視図である。
【図５】本発明の物品保持用頸跨ぎ装着フレームの一例を人体の頸に装着した状態の背側からの斜視図である。
【図６】本発明の物品保持用頸跨ぎ装着フレームの一例を人体の頸に装着した状態の背側からの斜視図である。
【００９４】
【図７】本発明の物品保持用頸跨ぎ装着フレームの胸板厚幅調整具の一例の斜視図である。
【図８】本発明の物品保持用頸跨ぎ装着フレームの胸板厚幅調整具の一例の締め付け部の断面図である。
【図９】本発明の物品保持用頸跨ぎ装着フレームの胸板厚幅調整具の一例の締め付け部の断面図である。
【図１０】本発明の物品保持用頸跨ぎ装着フレームの一例に物品としてスマートフォンを保持させた状態の斜視図である。
【００９５】
【図１１】本発明の物品保持用頸跨ぎ装着フレームの一例を頸に取り付けようとしている状態を示す側面図である。
【図１２】本発明の物品保持用頸跨ぎ装着フレームの一例を人体の頸に装着した状態の側面図である。
【図１３】本発明の物品保持用頸跨ぎ装着フレームの一例を人体の頸に装着した状態の背側からの斜視図である。
【図１４】本発明の物品保持用頸跨ぎ装着フレームの一例を人体の頸に装着した状態の背側からの斜視図である。
【図１５】人体の上半身の胸面の各部位の名称を示した図である。
【図１６】人体の上半身の背面の各部位の名称を示した図である。
【符号の説明】
【００９６】
Ａ  物品保持用頸跨ぎ装着フレーム
１  胸側の頸跨ぎ部材
２  背側の頸跨ぎ部材
３  頸跨ぎ部材
４  胸押さえ部材
５  背押え部材
６  後頭骨の下部押さえ部材
７  胸板厚幅調整具
８  締め付け具
９  クリップバンド
１０  指押さえ部
１１  締め付けベルト
１２  スマートフォンの支持棒
１３  フレキシブルアーム
１４  スマートフォン
１５  穴
１６  後頭部押さえ部材
１７  肩甲上部区域押さえ部材
１８  網
１９  接続部
【図１】
2018023101.tif 000003
【図２】
2018023101.tif 000004
【図３】
2018023101.tif 000005
【図４】
2018023101.tif 000006
【図５】
2018023101.tif 000007
【図６】
2018023101.tif 000008
【図７】
2018023101.tif 000009
【図８】
2018023101.tif 000010
【図９】
2018023101.tif 000011
【図１０】
2018023101.tif 000012
【図１１】
2018023101.tif 000013
【図１２】
2018023101.tif 000014
【図１３】
2018023101.tif 000015
【図１４】
2018023101.tif 000016
【図１５】
2018023101.tif 000017
【図１６】
2018023101.tif 000018